(57)【要約】【課題】イカの餌への食いつきを悪くせずに、イカを確実に捕獲することができるイカ釣具を提供することを課題とする。【解決手段】餌２４を取付けるための餌針５を先端に備える餌取付け部材と、イカ２５を引っ掛けるための引掛け針１１を先端に備えるイカ引掛け部材と、餌取付け部材の基端とイカ引掛け部材の基端とを固定する固定部材と、を具備し、道糸に連結されるイカ釣具１Ａであって、餌取付け部材は、イカ引掛け部材が挿通される案内部と、餌取付け部材を伸縮可能とする伸縮部と、を備え、引掛け針１１は、伸縮部が収縮した状態で餌取付け部材の基端と反対側に餌２４よりも離れた位置に配置され、イカ引掛け部材は、案内部に挿通され、且つ、餌２４にイカ引掛け部材が絡まることを防止する絡まり防止手段を備え、伸縮部が伸長して、餌針５が引掛け針１１に接近する。【選択図】図１
2010213618.tif 000002
【特許請求の範囲】
【請求項１】
餌を取付けるための餌針を先端に備える餌取付け部材と、イカを引っ掛けるための引掛け針を先端に備えるイカ引掛け部材と、前記餌取付け部材の基端と前記イカ引掛け部材の基端とを固定する固定部材と、を具備し、道糸に連結されるイカ釣具であって、
前記餌取付け部材は、前記イカ引掛け部材が挿通される案内部と、前記餌取付け部材を伸縮可能とする伸縮部と、を備え、
前記引掛け針は、前記伸縮部が収縮した状態で前記餌取付け部材の基端と反対側に前記餌針よりも離れた位置に配置され、
前記イカ引掛け部材は、前記案内部に挿通され、且つ、前記餌に前記イカ引掛け部材が絡まることを防止する絡まり防止手段を備え、
前記伸縮部が伸長して、前記餌針が前記引掛け針に接近する、イカ釣具。
【請求項２】
前記絡まり防止手段は、前記伸縮部材が収縮した状態で、前記イカ引掛け部材の少なくとも前記餌針に取付けた餌よりも前記引掛け針側の部分を棒材とすることによって構成する、請求項１に記載のイカ釣具。
【請求項３】
前記餌取付け部材は、前記伸縮部材が伸長した状態で、前記餌針に取付けた餌と前記引掛け針との間に所定の間隔があくように当該伸縮部材の伸長量を規制する伸長規制手段を備える、請求項１または請求項２に記載のイカ釣具。
【請求項４】
前記餌取付け部材の一部をコイル状に形成することによって、前記案内部と前記伸縮部とを一体的に構成する、請求項１から請求項３のいずれか１項に記載のイカ釣具。
【発明の詳細な説明】
【技術分野】
【０００１】
本発明は、道糸に連結されるイカ釣具の技術に関する。
【背景技術】
【０００２】
従来、先端に餌針を設けたハリスの基端と、先端に引掛け針を設けた棒体の基端とを固定したイカ釣具の技術は公知となっている。
このようなイカ釣具を用いたイカ釣りは、生きた魚を好んで食するイカの習性を利用して行うものである。イカ釣りでは、アジ等の生き餌（以下、餌という）に餌針を取付けたイカ釣具を海中に投入する。そして、イカが餌に食いつき牽引した際に、当該引掛け針でイカを引っ掛けて捕獲する。
【０００３】
しかしながら、当該イカ釣具の引掛け針は、イカが餌に食いつき易いように、餌針に取付けられた餌から適宜に離れた位置に配置されている。このため、餌に食いついたイカが引掛け針のある位置に移動しなければ、引掛け針にイカを引っ掛けることはできず、イカを捕獲する確率は低いという問題があった。
【０００４】
また、前記イカを捕獲する確率が低いという問題を解決する技術として、餌針を設けたガイド体と固定具とを弾性体で連結し、前記固定具からガイド体を挿通したハリスの先端に引掛け針を設け、餌針に餌を取付けて、餌と引掛け針を適宜に離したイカ釣具の技術は公知となっている。例えば特許文献１に示す如くである。
【０００５】
このような弾性体を備えたイカ釣具では、イカが餌に食いつき牽引した際に、弾性体が伸びてハリスがガイド体に案内され、引掛け針が餌まで移動する。このため、餌に食いついたイカが引掛け針のある位置に移動しなくても、引掛け針にイカを引っ掛けて捕獲することができる。
【先行技術文献】
【特許文献】
【０００６】
【特許文献１】特開２００２−１２５５５０号公報
【発明の概要】
【発明が解決しようとする課題】
【０００７】
しかしながら、このような引掛け針が餌まで移動するイカ釣具は、ハリスの先端に引掛け針が設けられる構成となっている。このため、当該イカ釣具を海中に投入する際に、餌針に取付けた餌にハリスが絡まる虞がある。また、当該イカ釣具が海中にある際においても、餌が海中で動き回るため、当該餌にハリスが絡まる虞がある。さらに、このように餌にハリスが絡まると、ハリスの一側に設けられた引掛け針が、餌に引っ掛かる虞がある。
そして、このように餌にハリスが絡まること、および、前記ハリスが絡んで餌に引掛け針が引っ掛かることによって、当該餌は、海中で自然な活動を行うことができず、また、活きが悪くなり、ひいては当該餌へのイカの食いつきが悪くなってしまう。
【０００８】
本発明は以上の如き状況を鑑みてなされたものであり、イカの餌への食いつきを悪くせずに、イカを確実に捕獲することができるイカ釣具を提供することを課題とする。
【課題を解決するための手段】
【０００９】
本発明の解決しようとする課題は以上の如くであり、次にこの課題を解決するための手段を説明する。
【００１０】
即ち、請求項１においては、餌を取付けるための餌針を先端に備える餌取付け部材と、イカを引っ掛けるための引掛け針を先端に備えるイカ引掛け部材と、前記餌取付け部材の基端と前記イカ引掛け部材の基端とを固定する固定部材と、を具備し、道糸に連結されるイカ釣具であって、前記餌取付け部材は、前記イカ引掛け部材が挿通される案内部と、前記餌取付け部材を伸縮可能とする伸縮部とを備え、前記引掛け針は、前記伸縮部が収縮した状態で前記餌取付け部材の基端と反対側に前記餌針よりも離れた位置に配置され、前記イカ引掛け部材は、前記案内部に挿通され、且つ、前記餌に前記イカ引掛け部材が絡まることを防止する絡まり防止手段を備え、前記伸縮部が伸長して、前記餌針が前記引掛け針に接近するものである。
【００１１】
請求項２においては、前記絡まり防止手段は、前記伸縮部材が収縮した状態で、前記イカ引掛け部材の少なくとも前記餌針に取付けた餌よりも前記引掛け針側の部分を棒材とすることによって構成するものである。
【００１２】
請求項３においては、前記餌取付け部材は、前記伸縮部材が伸長した状態で、前記餌針に取付けた餌と前記引掛け針との間に所定の間隔があくように当該伸縮部材の伸長量を規制する伸長規制手段を備えるものである。
【００１３】
請求項４においては、前記餌取付け部材の一部をコイル状に形成することによって、前記案内部と前記伸縮部とを一体的に構成するものである。
【発明の効果】
【００１４】
本発明の効果として、以下に示すような効果を奏する。
【００１５】
即ち、本発明のイカ釣具によれば、イカの餌への食いつきを悪くせずに、イカを確実に捕獲することができる。
【図面の簡単な説明】
【００１６】
【図１】本発明の第一実施形態に係るイカ釣具を示した図。
【図２】本発明の第一実施形態に係るイカ釣具を示した図。
【図３】本発明の第一実施形態に係るイカ釣具を用いてイカ釣りを行っている状態を示した模式図。
【図４】本発明の第一実施形態に係るイカ釣具にイカが食いついた状態を示した図。
【図５】本発明の第一実施形態に係るイカ釣具にイカが食いついた状態を示した図。
【図６】本発明の第一実施形態に係るイカ釣具にイカが食いついた状態を示した図。
【図７】本発明の第一実施形態に係るイカ釣具を示した図。
【図８】本発明の第一実施形態に係るイカ釣具を示した図。
【図９】本発明の第一実施形態に係るイカ釣具を示した図。
【図１０】本発明の第二実施形態に係るイカ釣具を示した図。
【図１１】本発明の第二実施形態に係るイカ釣具を示した図。
【図１２】本発明の第二実施形態に係るイカ釣具にイカが食いついた状態を示した図。
【図１３】本発明の第三実施形態に係るイカ釣具を示した図。
【図１４】本発明の第三実施形態に係るイカ釣具を示した図。
【図１５】（ａ）は本発明の実施例に係るイカ釣具を示した図、（ｂ）は本発明の実施例に係るイカ釣具を示した図。
【発明を実施するための形態】
【００１７】
次に、本発明に係るイカ釣具の第一実施形態について、図１から図９を用いて説明する。
図１から図４に示す如く、イカ釣具１Ａは、道糸２１に連結されてイカ２５を釣るための仕掛であって、餌取付け部材と、イカ引掛け部材と、前記餌取付け部材の基端と前記イカ引掛け部材の基端とを固定する固定部材と、を具備する。
【００１８】
イカ釣具１Ａの餌取付け部材は、餌２４を取付けるための餌針５を先端に備える部材であり、イカ引掛け部材が挿通される案内部と、餌取付け部材を伸縮可能とする伸縮部と、道糸２１に連結される連結部６と、伸縮部材の伸長量を規制する伸長規制手段とを備える。
【００１９】
本実施形態の案内部と伸縮部とは、バネ材２によって構成される。バネ材２は、上下方向を軸心方向とするコイル状に形成されて、上下方向に伸縮可能に構成される。また、バネ材２は、コイル状に形成されることでその金属線によって仮想の円筒形状に構成される。そして、バネ材２内（円筒内）には後述するイカ引掛け部材の一部が挿通される。つまり、本実施形態において、バネ材２が本体の一部をコイル状に形成されることによって、案内部と伸縮部とが一体的に構成される。なお、案内部は、伸縮部が伸長する際に、餌取付け部材の軸心に沿うようにイカ引掛け部材を案内し、餌針５を引掛け針１１近傍に接近させるものである。
【００２０】
下方延出部３は、棒状の部材であって、バネ材２と一体的に形成されている。下方延出部３は、その上端部がバネ材２の下端部に接続され、バネ材２から下方に向かって延出されている。下方延出部３の下方部は、餌取付け部材の先端として構成され、ここに餌針５が取付けられている。
【００２１】
上方延出部４は、棒状の部材であり、バネ材２と一体的に設けられている。上方延出部４は、その下端部でバネ材２の上端部に接続され、このバネ材２から上方に向かって延出されている。上方延出部４の上下中途部には、餌取付け部材の基端とイカ引掛け部材の基端とを固定する固定部材としての固定部４ａが配設されている。固定部４ａが配設される上方延出部４の上下中途部は、餌取付け部材の基端として構成される。
また、上方延出部４の上端部には、道糸２１を連結するための連結部６が一体的に設けられている。
【００２２】
餌針５は、餌２４を取付けるための針であって、その針基に餌取付け部材と連結するための貫通孔を備える。
餌針５は、その貫通孔に下方延出部３の下方部が貫入され、当該糸通し用の穴から延出する下方延出部３の下方部が環状に折り返され、当該下端部の先端が固定部３ａにて固定されることによって、下方延出部３の下方部に設けられている。つまり、餌針５は、下方延出部３の下方部に設けられることによって、餌取付け部材の先端に備えられる。
このように餌取付け部材を構成することで、餌針５を下方に牽引すると、伸縮部であるバネ材２が下方に伸長することとなる。
【００２３】
なお、餌針５に固定される餌２４は、例えば、全長：略１０ｃｍ・上下幅：略３ｃｍのアジ等の生き餌が用いられる。そして、餌２４は、その向きが上下方向に対して略垂直方向に向くように、その上後端部に餌針５が刺貫されて餌針５に取付けられる。
【００２４】
本実施形態に係る伸長規制手段は、糸ストッパ７によって構成される。糸ストッパ７は、所定の長さを有する糸状の樹脂素材からなる部材である。伸縮部（バネ材２）の伸長量を所定の量に規制するものである。
糸ストッパ７は、伸縮部（バネ材２）が収縮した状態でその胴部が撓むように、且つ、案内部および伸縮部（バネ材２）を跨ぐようにして、その一側が固定部３ａによってかしめて固定され、その他側が上方延出部４の上下中途部に固定部４ａによってかしめて固定されて、餌取付け部材に設けられている。
【００２５】
本実施形態に係るイカ釣具１Ａのイカ引掛け部材は、イカを引っ掛けるための引掛け針を先端に備える部材であり、餌針５と、棒材８と、糸材９と、餌針５と、餌針５に取付けられた餌２４にイカ引掛け部材が絡まることを防止する絡まり防止手段と、を備える。
【００２６】
棒材８は、所定の長さを有する金属素材からなる直線棒状の部材であって、その下端部（先端）は、イカ引掛け部材の先端として構成される。棒材８の先端には引掛け針１１が設けられる。
【００２７】
引掛け針１１は、イカ２５を引っ掛けるための釣針であって、錨状に形成される。また、引掛け針１１は、針先が上方を向くようにして、引掛け針１１の針基と棒材８の先端とを取付け部１１ａによってかしめて固定することによって、棒材８の先端に設けられている。このようにして、引掛け針１１がイカ引掛け部材の先端に設けられている。
【００２８】
糸材９は、所定の長さを有する糸状の樹脂素材からなる部材である。糸材９の下端部と棒材８の基端とが接続部８ａによってかしめて固定されることによって、糸材９は棒材８に接続されている。糸材９の上端部は、イカ引掛け部材の基端として構成される。
このようにして、糸材９が棒材８に接続されることによって、棒材８および糸材９は、イカ引掛け部材の一部として構成される。
【００２９】
そして、棒材８に接続された糸材９はバネ材２内に下方から挿通され、当該糸材９の上端部は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
【００３０】
また、糸材９の長さは、その上端部が固定部４ａに固定された状態で、且つ、バネ材２が収縮した状態で、糸材９の下端部が下方延出部３の上下中途部にまで延出するように構成される。つまり、棒材８の基端は、バネ材２が収縮した状態で、下方延出部３の上下中途部、即ち、少なくとも餌針５に取付けられた餌２４よりも餌取付け部材の基端側に配置される。
さらに、棒材８の先端は、糸材９の上端部が固定部４ａに固定された状態で、且つ、バネ材２が収縮した状態で、餌取付け部材の基端側と反対側に前記餌２４よりも離れた位置に配置される。つまり、棒材８の先端に設けられる引掛け針１１は、糸材９の上端部が固定部４ａに固定された状態で、且つ、バネ材２が収縮した状態で、餌取付け部材の基端側と反対側に前記餌２４よりも離れた位置に配置される。
このように、本実施形態においては、バネ材２が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。
【００３１】
このように構成されたイカ釣具１Ａは、図３に示す如く、イカ釣具１Ａの連結部６と釣り竿２２から伸びる道糸２１の先端とが連結されて、海中に投入される。道糸２１の中途部には、浮き２３が取付けられている。そして、当該イカ釣具１Ａの餌針５に取付けられた餌２４を泳がせて、イカ２５が餌２４に食いつくのを待つ。
【００３２】
また、餌針５に取付けられた餌２４は泳ぎまわることから、イカ釣具１Ａは当該餌２４に牽引されて、下方延出部３の傾斜する角度は逐次変化することとなる。例えば、餌２４は、下方延出部３の下方部に設けられた餌針５に取付けられているため、餌２４が水平方向に泳いでイカ釣具１Ａを牽引した場合には、イカ釣具１Ａの下方延出部３は、餌２４の進行方向と反対方向に傾斜することとなる。
【００３３】
他方、バネ材２から下方に延出する糸材９の一部および棒材８は、例えば、餌２４が水平方向に泳いでイカ釣具１Ａを牽引した場合には、接続部８ａと糸材９との境界を支点として、下方延出部３が傾斜する方向と反対方向に傾斜しようとする。また、餌２４が下方延出部３が傾斜したままの状態で餌２４が静止している場合には、バネ材２から下方に延出する糸材９の一部および棒材８は、潮流に従って傾斜する角度を変え、また、引掛け針１１の自重に従って鉛直方向を向こうとする。
つまり、イカ釣具１Ａは、伸縮部（バネ材２）が収縮した状態で、案内部（バネ材２）から餌取付け部材の先端側に延出するイカ引掛け部材の一部（棒材８および糸材９）は、餌取付け部材（下方延出部３）が延出する方向と異なる方向に延出、即ち、揺動可能に構成されている。なお、以下においては便宜上、棒材８は、鉛直方向を向いているものとして説明する。
【００３４】
そして、図４および図５に示す如く、イカ２５が餌２４に食いついた際には、当該イカ２５は餌２４を拘束したままイカ釣具１Ａから離れようとして、イカ釣具１Ａの下方延出部３は傾斜する。またこの際、餌２４にイカ２５が食いついたことを確認した釣り人は、保持している釣り竿２２および道糸２１を介してイカ釣具１Ａの連結部６を牽引する。
ここで、本実施形態に係るイカ釣具１Ａは、その餌針５または連結部６を牽引すると、伸縮部であるバネ材２が下方に伸長するように構成されている（図２参照）。つまり、イカ２５がイカ釣具１Ａから離れようとし、または、イカ釣具１Ａの連結部６を牽引すると、餌針５に餌２４が取付けられているため、イカ釣具１Ａのバネ材２が伸長することとなる。
【００３５】
また、バネ材２が伸長していく過程において、バネ材２の下端部が棒材８の基端に至るまでバネ材２が伸長して、糸材９の下端部がバネ材２内に侵入すると、バネ材２の下端部に棒材８の基端が当接することとなる。
係る状態でさらにバネ材２が伸長していくと、図５および図６に示す如く、棒材８が回動しながら、イカ引掛け部材の接続部８ａおよび棒材８がバネ材２内に侵入していくこととなる。より詳細には、棒材８は、その傾斜する角度と下方延出部３が傾斜する角度とが一致するように、イカ引掛け部材の接続部８ａと糸材９との境界を支点として回動しようとする。つまり、引掛け針１１は、餌取付け部材の軸心上近傍に配置されようとする。そして、バネ材２が伸長していくに従って、餌取付け部材の軸心に沿うようにして、イカ引掛け部材の接続部８ａがバネ材２内に侵入し、次いで棒材８がバネ材２内に侵入していく。こうして、餌取付け部材の基端側と反対側に餌２４よりも離れた位置に配置された餌針５が、引掛け針１１近傍に接近することとなる。
以上のようにして、イカ釣具１Ａは、イカ２５がイカ釣具１Ａから離れようとし、また、イカ釣具１Ａの連結部６を牽引すると、伸縮部が伸長して、餌針５が引掛け針１１に接近するように構成されている。
【００３６】
もっとも、餌針５に取付けられた餌２４にイカ２５が食いついているため、イカ２５がイカ釣具１Ａから離れようとし、また、イカ釣具１Ａの連結部６を牽引すると、餌針５が引掛け針１１に接近し、当該引掛け針１１がイカ２５に当接して引っ掛かることとなる。つまり、餌２４に食いついたイカ２５が引掛け針１１のある位置に移動しなくても引掛け針１１にイカ２５を引っ掛けて、イカ２５を確実に捕獲することができる。
【００３７】
また、バネ材２が伸長していく過程において、バネ材２の下端部に棒材８の基端が当接して棒材８が回動し、引掛け針１１が餌取付け部材の軸心上近傍に配置されようとする際に、当該引掛け針１１が、イカ２５に当接して引っ掛かることとなる。
したがって、棒材８の回動する勢いを利用して引掛け針１１にイカ２５に引っ掛けて、確実にイカ２５を捕獲することができる。また、イカ釣具１Ａの連結部６を牽引するタイミングが遅れた場合にも、イカ２５が餌針５を牽引することによって、バネ材２が所定の量で伸長した際に棒材８が回動して引掛け針１１がイカ２５に引っ掛かかるため、確実にイカ２５を捕獲することができる。
【００３８】
さらに、係る状態でバネ材２がさらに伸長すると、バネ材２が伸長していくに従って、餌取付け部材の軸心に沿うようにして、棒材８がバネ材２内に侵入していき、餌針５が引掛け針１１近傍に接近することとなる。したがって、前記イカ２５への引掛け針１１の刺入深度を深くすることができ、確実にイカ２５を捕獲することができる。
【００３９】
また、イカ釣具１Ａは、餌針５に取付けられた餌２４が当該イカ引掛け部材に絡まることを防止する絡まり防止手段を備える。本実施形態に係る絡まり防止手段は、バネ材２が収縮した状態で、イカ引掛け部材の少なくとも餌針５に取付けた餌２４よりも引掛け針１１側の部分が、棒材８として構成されることで、イカ引掛け部材が絡まり防止手段を備える構成とされる。そして、棒材８は、棒状の部材である。
このように絡まり防止手段を構成することにより、バネ材２が収縮した状態において、イカ引掛け部材（糸材９）は、少なくとも前記餌２４の胴部には絡まらないこととなる。
したがって、イカ釣具１Ａによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００４０】
さらに、バネ材２が収縮した状態で、棒材８の基端は、下方延出部３の上下中途部に配置される。そして、棒材８は、棒状の部材である。
このため、本実施形態のイカ釣具１Ａでは、バネ材２が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ａによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
なお、バネ材２が伸長した際には、糸材９の下端部はバネ材２内に侵入していくため、イカ引掛け部材（糸材９）が前記餌２４に絡まることはない。
また、バネ材２が収縮した状態で、引掛け針１１を餌２４に確実に接触させないためには、棒材８の先端が延出する位置を餌２４からより遠くなるように棒材８の長さを構成すること、例えば、棒材８の長さを餌２４の全長以上に構成することが好ましい。
【００４１】
イカ釣具１Ａは、伸長規制手段である糸ストッパ７を備える。糸ストッパ７は、伸縮部（バネ材２）の伸長する量を所定の量に規制する。糸ストッパ７は、伸縮部（バネ材２）が収縮した状態でその胴部が撓むように、且つ、案内部および伸縮部（バネ材２）を跨ぐようにして、餌取付け部材に設けられている（図１参照）。
他方、図２に示す如く、餌針５を下方に牽引して伸縮部（バネ材２）が伸長して、撓みがなくなって糸ストッパ７が緊張したとき、即ち、餌針５が引掛け針１１に最も近接したとき、餌針５に取付けられた餌２４と引掛け針１１との間には所定の間隔Ｘがあいている。つまり、糸ストッパ７は、伸縮部材（バネ材２）が伸長した状態で、餌針５に取付けた餌２４と引掛け針１１との間に所定の間隔Ｘがあくように、伸縮部材（バネ材２）の伸長量を規制している。なお、伸縮部（バネ材２）が収縮した状態での糸ストッパ７の撓み量と、伸縮部（バネ材２）との伸長量とは略同一である。つまり、伸縮部（バネ材２）は、当該糸ストッパ７の撓み量でその伸長量が規制されている。
以上のことから、イカ釣具１Ａを海中に投入する際、または、イカ釣具１Ａが海中にあるときに餌２４が動き回った際に、バネ材２（伸縮部）が伸長しても、餌２４に引掛け針１１が接触しがたいこととなる。
したがって、イカ釣具１Ａによれば、伸縮部が伸長した際に引掛け針１１が餌２４に接触することを要因としてイカ２５の餌２４への食いつきが悪くなることを防止することができる。
【００４２】
なお、この所定の間隔Ｘは、餌針５に取付けられた餌２４の向きが水平方向を向いた状態で、当該餌２４と引掛け針１１とが接触しない間隔を示すものである。つまり、間隔Ｘは、餌針５を軸として前記餌２４が回転した際においても、当該餌２４と引掛け針１１とが接触しないことを示すものではない。このため、餌針５に取付けられた餌２４と引掛け針１１とを確実に接触させないためには、間隔Ｘをより狭い間隔とすべく糸ストッパ７の長さを構成することが望ましい。
【００４３】
本実施形態に係る案内部と伸縮部とは、バネ材２によって構成される。バネ材２は、コイル状に形成され、伸縮可能に構成される。バネ材２内にはイカ引掛け部材が挿通される。つまり、本実施形態において、バネ材２が本体の一部をコイル状に形成されることによって、案内部と伸縮部とが一体的に構成される。
したがって、イカ釣具１Ａを簡易構造で実現することができ、また、イカ釣具１Ａの製造コストを低減させることができる。
【００４４】
イカ釣具１Ａの棒材８は、直線棒状の部材である。
このため、バネ材２が伸長してバネ材２内に棒材８が侵入していく際に、バネ材２内に棒材８がスムーズに侵入することとなる。したがって、スムーズに餌針５が引掛け針１１近傍に接近することができ、確実にイカ２５を捕獲することができる。
また、伸長したバネ材２が収縮した状態にもどる際にも、バネ材２内に侵入した棒材８は、バネ材２や棒材８を破損することなくバネ材２内からスムーズに脱することとなる。したがって、同一のイカ釣具１Ａで何度もイカ釣りを行うことができ、イカ釣りに費やすコストを低減することができる。
【００４５】
なお、棒材８が、弱い曲げ応力に対して容易に変形するような素材からなる場合には、棒材８が回動して引掛け針１１がイカ２５に引っ掛かる際に、前記イカ２５への引掛け針１１の刺入深度が浅くなる虞がある。また、引掛け針１１にイカ２５が引っ掛かった際にも、当該イカ２５が暴れること等により、当該引掛け針１１からイカ２５が容易に外れてしまう虞がある。このため、棒材８は、強い曲げ応力が加わっても大きく変形しない素材からなることが好ましい。
【００４６】
また、バネ材２が伸長する際に、バネ材２の最下端の金属線（以下、最下端金属線という）と、最下端金属線の直上の金属線（以下、直上金属線という）とが離間して、これらの間に隙間が生じる。しかしながら、バネ材２は、最下端金属線と直上金属線とが離間しないように、また、これらの間に生じる隙間が閉塞した状態に、構成されることが好ましい。バネ材２がこのように構成されることにより、糸ストッパ７（伸長規制手段）、棒材８、糸材９（イカ引掛け部材）等が、前記隙間に侵入してバネ材２に絡まることを防止することができる。
なお、例えば、最下端金属線と直上金属線とを接着剤によって接着すること等により、最下端金属線と直上金属線とが離間しないようにバネ材２を構成することができる。また、バネ材２と下方延出部３との境界部分（最下端金属線）と、直上金属線とを樹脂素材からなる糸材で結束すること等により、これらの間に生じる隙間が閉塞した状態にバネ材２は構成される。
【００４７】
同様に、バネ材２が伸長する際に、バネ材２の最上端の金属線（以下、最上端金属線という）と、最上端金属線の直下の金属線（以下、直下金属線という）とが離間して、これらの間に隙間が生じる。しかしながら、バネ材２は、最上端金属線と直下金属線とが離間しないように、また、これらの間に生じる隙間が閉塞した状態に、構成されることが好ましい。バネ材２がこのように構成されることにより、糸ストッパ７（伸長規制手段）、棒材８、糸材９（イカ引掛け部材）等が、前記隙間に侵入してバネ材２に絡まることを防止することができる。
なお、例えば、最上端金属線と直下金属線とを接着剤によって接着すること等により、最上端金属線と直下金属線とが離間しないようにバネ材２を構成することができる。また、バネ材２と上方延出部４との境界部分（最上端金属線）と、直下金属線とを樹脂素材からなる糸材で結束すること等により、これらの間に生じる隙間が閉塞した状態にバネ材２は構成される。
【００４８】
イカ釣具１Ａの糸ストッパ７は、案内部および伸縮部（バネ材２）を跨ぐようにして、餌取付け部材に設けられることに特に限定するものではない。即ち、例えば、図７に示す如く、糸ストッパ７は、その一部がバネ材２に挿通され、且つ、バネ材２が収縮した状態でその胴部が撓むように、その一側が固定部３ａによってかしめて固定され、その他側が上方延出部４の上下中途部に固定部４ａによってかしめて固定されて、餌取付け部材に設けられてもよいものとする。
このように、糸ストッパ７を餌取付け部材に設けることによって、糸ストッパ７（伸長規制手段）が、バネ材２の金属線間に侵入してバネ材２に絡まることを防止することができる。
【００４９】
イカ釣具１Ａの案内部と伸縮部とは、バネ材２によってこれらが一体的に構成されるが、当該案内部と伸縮部とがバネ材２によって構成されることに特に限定するものではない。即ち、例えば、案内部と伸縮部とは、上下方向を軸心方向とする筒状に形成され、且つ、上下方向に伸縮可能な、ゴム素材からなるゴム管で構成されても良いものとする。
【００５０】
また、図８に示す如く、イカ釣具１Ａのイカ引掛け部材は、糸材９に代えて第二棒材１０を用いて構成されても良いものとする。詳細には、第二棒材１０は、糸材９と同等の長さを有する金属素材からなる直線棒状の部材である。
また、第二棒材１０は、その下端部と棒材８の基端とが接続部８ｂによって固定されることによって棒材８に接続される。第二棒材１０の上端部は、イカ引掛け部材の基端として構成される。このようにして、第二棒材１０が棒材８に接続されることで、棒材８および第二棒材１０はイカ引掛け部材の一部として構成される。
そして、棒材８に接続された第二棒材１０はバネ材２内に下方から挿通され、第二棒材１０の上端部は上方延出部４の上下中途部に固定部４ａによってかしめて固定される。
なお、接続部８ｂは、棒材８の軸心と第二棒材１０の軸心とが一致するようにして、棒材８の基端と第二棒材１０の下端部とに糸状の樹脂素材からなる糸材を巻きつけることによって構成される。このように接続部８ｂを構成することにより、棒材８は接続部８ｂを支点に回動可能に構成される。
【００５１】
また、図９に示す如く、イカ釣具１Ａの牽引部は、その全部が長尺棒材１５で構成されても良いものとする。詳細には、長尺棒材１５は、棒材８と糸材９とが接続部８ａで接続されたイカ引掛け部材の全長と同等の長さを有する金属素材からなる直線棒状の部材である。長尺棒材１５の先端はイカ引掛け部材の先端として構成される。また、長尺棒材１５の基端は、イカ引掛け部材の基端として構成される。このように、長尺棒材１５にてイカ引掛け部材を構成することにより、イカ釣具１Ａにおけるイカ引掛け部材の全部は、長尺棒材１５で構成される。
また、長尺棒材１５の先端と引掛け針１１の針基とを取付け部１１ａによってかしめて固定されることによって、長尺棒材１５の先端に引掛け針１１が設けられている。
そして、長尺棒材１５はバネ材２内に下方から挿通され、当該長尺棒材１５の基端は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
以上のようにして、長尺棒材１５にてイカ引掛け部材を構成することにより、イカ釣具１Ａにおけるイカ引掛け部材の全部は、長尺棒材１５で構成される。そして、牽引部の全部を長尺棒材１５で構成することにより、イカ釣具１Ａを簡易構造で実現することができ、また、イカ釣具１Ａの製造コストを低減させることができる。
また、棒材８、第二棒材１０、長尺棒材１５は、直線棒状であることに特に限定するものではない。
【００５２】
次に、本発明に係るイカ釣具の第二実施形態について、図１０から図１２を用いて説明する。なお、第二実施形態に係るイカ釣具１Ｂは、第一実施形態に係るイカ釣具１Ａと同様の構成を有する部分があるため、本実施形態に係るイカ釣具１Ｂの説明は、イカ釣具１Ａと同様の構成の部分については適宜省略し、イカ釣具１Ａと異なる部分を中心に説明する。
【００５３】
図１０および図１１に示す如く、イカ釣具１Ｂの餌取付け部材は、イカ引掛け部材が挿通される案内部と、餌取付け部材を伸縮可能とする伸縮部と、道糸２１に連結される連結部６と、伸縮部の伸長量を規制する伸長規制手段とを備える。
【００５４】
本実施形態に係るイカ釣具１Ｂの案内部は、筒材１２によって構成される。筒材１２は、上下方向を軸心方向とする筒状に形成される樹脂素材からなる部材である。筒材１２の上下方向の長さは、イカ引掛け部材が筒材１２内に挿通された状態で、その下端部が、棒材８の基端および糸材９の下端部の直上に配置されるように構成される。
筒材１２には、筒材１２から下方に向かって延出するように、その下端部の外周面に下方延出部３の上端部が接着剤等によって接合されて、下方延出部３が一体的に設けられている。
【００５５】
本実施形態に係るイカ釣具１Ｂの伸縮部は、ゴム材１３によって構成される。ゴム材１３は、上下方向に伸縮可能なゴム素材からなる紐状の部材であり、その下端部が筒材１２の上端部の外周面に一体的に設けられている。ゴム材１３の上端部には、餌取付け部材の基端とイカ引掛け部材の基端とを固定する固定部材としての固定部１３ａが配設されている。固定部１３ａが配設されるゴム材１３の上端部は、餌取付け部材の基端として構成される。
【００５６】
上方延出部１４は、棒状の部材であって、ゴム材１３から上方に向かって延出するように、その下端部が、固定部１３ａによってかしめて固定されている。
糸材１４の上端部には、道糸２１を連結するための連結部６が一体的に設けられている。
【００５７】
このように餌取付け部材を構成することで、餌針５を下方に牽引すると、伸縮部であるゴム材１３が下方に伸長することとなる。
【００５８】
棒材８に接続された糸材９は筒材１２内に下方から挿通され、当該糸材９の上端部が固定部１３ａによってかしめて固定される。つまり、イカ引掛け部材が案内部に挿通され、餌取付け部材の基端とイカ引掛け部材の基端とが固定部材によって固定されている。またこのとき、棒材８の基端および接続部８ａは、ゴム材１３が収縮した状態で、筒材１２の下端部の直下に配置される。つまり、棒材８の基端は、ゴム材１３が収縮した状態で、下方延出部３の上端部の直下、即ち、少なくとも餌針５に取付けられた餌２４よりも餌取付け部材の基端側に配置される。
さらに、棒材８の先端は、糸材９の上端部が固定部１３ａに固定された状態で、且つ、ゴム材１３が収縮した状態で、餌取付け部材の基端側と反対側に前記餌２４よりも離れた位置に配置される。つまり、棒材８の先端に設けられる引掛け針１１は、糸材９の上端部が固定部１３ａに固定された状態で、且つ、ゴム材１３が収縮した状態で、餌取付け部材の基端側と反対側に前記餌２４よりも離れた位置に配置される。
【００５９】
このように、本実施形態においては、ゴム材１３が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。そして、棒材８は、棒状の部材である。
このように絡まり防止手段を構成することにより、ゴム材１３が収縮した状態において、イカ引掛け部材（糸材９）は、少なくとも前記餌２４の胴部には絡まらないこととなる。
したがって、イカ釣具１Ｂによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００６０】
さらに、ゴム材１３が収縮した状態で、棒材８の基端は、下方延出部３の上端部の直下に配置される。そして、棒材８は、棒状の部材である。
このため、本実施形態のイカ釣具１Ｂでは、ゴム材１３が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ｂによれば、餌２４にイカ引掛け部材が絡まること、および、イカ引掛け部材が絡まって餌２４に引掛け針１１が引っ掛かること、を要因としてイカ２５の餌２４への食いつきが悪くなることを確実に防止することができる。
なお、ゴム材１３が伸長した際には、糸材９の下端部は筒材１２内に侵入していくため、イカ引掛け部材（糸材９）が前記餌２４に絡まることはない。
【００６１】
本実施形態に係るイカ釣具１Ｂは、その餌針５または連結部６を牽引すると、伸縮部であるゴム材１３が下方に伸長するように構成されている（図１１参照）。つまり、イカ２５がイカ釣具１Ｂから離れようとし、または、イカ釣具１Ｂの連結部６を牽引すると、餌針５に餌２４が取付けられているため、イカ釣具１Ｂのゴム材１３が伸長することとなる。
【００６２】
また、ゴム材１３が伸長していく過程において、筒材１２の下端部が棒材８の基端に至るまでゴム材１３が伸長して糸材９の下端部が筒材１２内に侵入すると、筒材１２の下方の開口部に棒材８の基端が当接することとなる。
係る状態でさらにゴム材１３が伸長していくと、棒材８が回動しながら、イカ引掛け部材の接続部８ａおよび棒材８が筒材１２内に侵入していくこととなる。より詳細には、棒材８は、その傾斜する角度と下方延出部３が傾斜する角度とが一致するように、イカ引掛け部材の接続部８ａと糸材９との境界を支点として回動しようとする。つまり、引掛け針１１は、餌取付け部材の軸心上近傍に配置されようとする。そして、ゴム材１３が伸長していくに従って、餌取付け部材の軸心に沿うようにして、イカ引掛け部材の接続部８ａが筒材１２内に侵入し、次いで棒材８が筒材１２内に侵入していく。こうして、餌取付け部材の基端側と反対側に餌２４よりも離れた位置に配置された餌針５が、引掛け針１１近傍に接近することとなる。
以上のようにして、イカ釣具１Ｂは、イカ２５がイカ釣具１Ｂから離れようとし、また、イカ釣具１Ｂの連結部６を牽引すると、伸縮部が伸長して、餌針５が引掛け針１１に接近するように構成されている。
【００６３】
もっとも、餌針５に取付けられた餌２４にイカ２５が食いついているため、イカ２５がイカ釣具１Ｂから離れようとし、また、イカ釣具１Ｂの連結部６を牽引すると、餌針５が引掛け針１１に接近し、当該引掛け針１１がイカ２５に当接して引っ掛かることとなる。つまり、餌２４に食いついたイカ２５が引掛け針１１のある位置に移動しなくても引掛け針１１にイカ２５を引っ掛けて、イカ２５を確実に捕獲することができる。
【００６４】
また、ゴム材１３が伸長していく過程において、筒材１２の下方の開口部に棒材８の基端が当接して棒材８が回動し、引掛け針１１が餌取付け部材の軸心上近傍に配置されようとする際に、当該引掛け針１１が、イカ２５に当接して引っ掛かることとなる。
したがって、棒材８の回動する勢いを利用して引掛け針１１にイカ２５に引っ掛けて、確実にイカ２５を捕獲することができる。また、イカ釣具１Ｂの連結部６を牽引するタイミングが遅れた場合にも、イカ２５が餌針５を牽引することによって、バネ材２が所定の量で伸長した際に棒材８が回動して引掛け針１１がイカ２５に引っ掛かかるため、確実にイカ２５を捕獲することができる。
【００６５】
さらに、イカ釣具１Ｂにおいては、筒材１２の上下方向の長さは、イカ引掛け部材が筒材１２内に挿通された状態で、その下端部は、棒材８の基端および糸材９の下端部の直上に配置されるように構成される。そして、棒材８の基端および接続部８ａは、ゴム材１３が収縮した状態で、筒材１２の下端部の直下に配置される。
このため、ゴム材１３が伸長する幅が狭い段階で、棒材８が回動することとなる。つまり、イカ２５がイカ釣具１Ｂから離れようとし、また、イカ釣具１Ｂの連結部６を牽引してバネ材１３が伸長する際に、その伸長の速い時期に、棒材８が回動することとなる。
したがって、イカ釣具１Ｂの連結部６を牽引するタイミングが遅れた場合にも、より速いタイミングで棒材８が回動して引掛け針１１がイカ２５に引っ掛かかるため、より確実にイカ２５を捕獲することができる。
【００６６】
さらに、係る状態でゴム材１３がさらに伸長すると、ゴム材１３が伸長していくに従って、餌取付け部材の軸心に沿うようにして、棒材８が筒材１２内に侵入していき、餌針５が引掛け針１１近傍に接近することとなる。したがって、前記イカ２５への引掛け針１１の刺入深度を深くすることができ、確実にイカ２５を捕獲することができる。
【００６７】
イカ釣具１Ｂは、伸長規制手段である糸ストッパ７を備える。糸ストッパ７は、伸縮部（ゴム材１３）が収縮した状態でその胴部が撓むように、且つ、案内部（筒材１２）および伸縮部（ゴム材１３）を跨ぐようにして、その一側が固定部３ａによってかしめて固定され、その他側が固定部１３ａによってかしめて固定されて、餌取付け部材に設けられている。
【００６８】
他方、図１１に示す如く、餌針５を下方に牽引して伸縮部（ゴム材１３）が伸長して、撓みがなくなって糸ストッパ７が緊張したとき、即ち、餌針５が引掛け針１１に最も近接したとき、餌針５に取付けられた餌２４と引掛け針１１との間には所定の間隔Ｘがあいている。つまり、糸ストッパ７は、伸縮部材（ゴム材１３）が伸長した状態で、餌針５に取付けた餌２４と引掛け針１１との間に所定の間隔Ｘがあくように、伸縮部材（ゴム材１３）の伸長量を規制している。なお、伸縮部（ゴム材１３）が収縮した状態での糸ストッパ７の撓み量と、伸縮部（ゴム材１３）との伸長量とは略同一である。つまり、伸縮部（ゴム材１３）は、当該糸ストッパ７の撓み量でその伸長量が規制されている。
以上のことから、イカ釣具１Ｂを海中に投入する際、または、イカ釣具１Ｂが海中にあるときに餌２４が動き回った際に、ゴム材１３（伸縮部）が伸長しても、餌２４に引掛け針１１が接触しがたいこととなる。
したがって、イカ釣具１Ｂによれば、伸縮部が伸長した際に引掛け針１１が餌２４に接触することを要因としてイカ２５の餌２４への食いつきが悪くなることを防止することができる。
【００６９】
なお、イカ釣具１Ｂの伸縮部はゴム材１３で構成されているが、当該伸縮部がゴム材１３で構成されることに特に限定するものではない。即ち、例えば、伸縮部は、上下方向を軸心方向とするコイル状に形成されて、上下方向に伸縮可能に構成されるバネ材で構成されても良いものとする。
【００７０】
次に、本発明に係るイカ釣具の第三実施形態について、図１３および図１４を用いて説明する。なお、第三実施形態に係るイカ釣具１Ｃは、第一実施形態に係るイカ釣具１Ａと同様の構成を有する部分があるため、本実施形態に係るイカ釣具１Ｃの説明は、イカ釣具１Ａと同様の構成の部分については適宜省略し、イカ釣具１Ａと異なる部分を中心に説明する。
【００７１】
図１３および図１４に示す如く、イカ釣具１Ｃの餌取付け部材は、イカ引掛け部材が挿通される案内部と、餌取付け部材を伸縮可能とする伸縮部と、道糸２１に連結される連結部６と、伸縮部の伸長量を規制する伸長規制手段とを備える。
【００７２】
本実施形態における案内部と伸縮部と伸長規制手段とは、蛇腹材１６によって構成される。蛇腹材１６は、上下方向を軸心方向とする筒状の樹脂素材からなる部材である。蛇腹材１６の下端部の外周面には、例えば接着剤等で下方延出部３の上端部が接合されて、下方延出部３が一体的に設けられている。また、蛇腹材１６の上端部の外周面には、例えば接着剤等で上方延出部４の上端部が接合されて、上方延出部４が一体的に設けられている。
【００７３】
また、蛇腹材１６は、その上下中途部に、上下方向に伸縮可能な蛇腹部１６ａを備える。詳細には、蛇腹材１６は、複数段に重なり合うようにその側面を屈折させることで収縮した状態となる（図１３参照）。
他方、蛇腹材１６は、当該蛇腹部１６ａにおける屈折して重なり合う側面同士を展開させることで伸長した状態となる（図１４参照）。そしてこのことは、蛇腹材１６は、重なり合う側面を展開させた状態における蛇腹部１６ａの上下方向の長さ以上には伸長しないことを示す。
つまり、蛇腹材１６は、屈折または展開可能な側面を備える部材であって、当該側面が屈折または展開することによって伸縮可能とし、且つ、当該側面によって伸長量を所定の量に規制している。
【００７４】
そして、棒材８に接続された糸材９は蛇腹材１６内に下方から挿通され、当該糸材９の上端部は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
【００７５】
また、糸材９の長さは、その上端部が固定部４ａに固定された状態で、且つ、蛇腹材１６が収縮した状態で、糸材９の下端部が下方延出部３の上下中途部にまで延出するように構成される。つまり、棒材８の基端は、蛇腹材１６が収縮した状態で、下方延出部３の上下中途部、即ち、少なくとも餌針５に取付けられた餌２４よりも餌取付け部材の基端側に配置される。
さらに、棒材８の先端は、糸材９の上端部が固定部４ａに固定された状態で、且つ、蛇腹材１６が収縮した状態で、餌取付け部材の基端側と反対側に前記餌２４よりも離れた位置に配置される。つまり、棒材８の先端に設けられる引掛け針１１は、糸材９の上端部が固定部４ａに固定された状態で、且つ、蛇腹材１６が収縮した状態で、餌取付け部材の基端側と反対側に前記餌２４よりも離れた位置に配置される。
【００７６】
このように、本実施形態においては、蛇腹材１６が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。そして、棒材８は、棒状の部材である。
このように絡まり防止手段を構成することにより、蛇腹材１６が収縮した状態において、イカ引掛け部材（糸材９）は、少なくとも前記餌２４の胴部には絡まらないこととなる。
したがって、イカ釣具１Ｃによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００７７】
さらに、蛇腹材１６が収縮した状態で、棒材８の基端は、下方延出部３の上下中途部に配置される。そして、棒材８は、棒状の部材である。
このため、本実施形態のイカ釣具１Ｃでは、蛇腹材１６が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ｃによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
なお、蛇腹材１６が伸長した際には、糸材９の下端部は蛇腹材１６内に侵入していくため、イカ引掛け部材（糸材９）が前記餌２４に絡まることはない。
【００７８】
さらに、イカ釣具１Ｃの伸縮部と伸長規制手段とは、上下方向を軸心方向とする筒状の樹脂素材からなる部材である蛇腹材１６で構成される。
このため、蛇腹材１６が餌２４に絡まることはない。したがって、伸縮部と伸長規制手段とが餌２４に絡まること、を要因としてイカ２５の餌２４への食いつきが悪くなることを確実に防止することができる。
【００７９】
イカ釣具１Ｃの伸縮部と伸長規制手段は、蛇腹材１６によって構成される。蛇腹材１６は、側面が屈折または展開可能な蛇腹部１６ａを備える部材であって、当該蛇腹部１６ａの側面が屈折または展開することによって伸縮可能される。
また、図１４に示す如く、餌針５を下方に牽引して伸縮部（蛇腹材１６）が伸長して、蛇腹部１６ａが展開したとき、即ち、餌針５が引掛け針１１に最も近接したとき、餌針５に取付けられた餌２４と引掛け針１１との間には所定の間隔Ｘがあいている。つまり、蛇腹材１６は、伸縮部材（蛇腹材１６）が伸長した状態で、餌針５に取付けた餌２４と引掛け針１１との間に所定の間隔Ｘがあくように、伸縮部材（蛇腹材１６）の伸長量を規制している。なお、側面が屈折して重なり合った状態における蛇腹部１６ａの上下方向の長さと、餌針５を下方に牽引して、当該重なり合う側面を展開させた状態における蛇腹部１６ａの上下方向の長さとの差が、蛇腹材１６が伸長する量を示す。
以上のことから、イカ釣具１Ｃを海中に投入する際、または、イカ釣具１Ｃが海中にあるときに餌２４が動き回った際に、バネ材２（伸縮部）が伸長しても、餌２４に引掛け針１１が接触しがたいこととなる。
したがって、イカ釣具１Ｃによれば、伸縮部が伸長した際に引掛け針１１が餌２４に接触することを要因としてイカ２５の餌２４への食いつきが悪くなることを防止することができる。
【００８０】
また、イカ釣具１Ｃにおいては、上述のように、蛇腹材１６は、イカ引掛け部材が挿通され、且つ、上下方向に伸縮可能とされ、且つ、自らによって伸長する量を所定の量に規制している。つまり、蛇腹材１６は、案内部と伸縮部と伸長規制手段とが一体的に構成されている。
このため、イカ釣具１Ｃを簡易構造で実現することができ、また、イカ釣具１Ｃの製造コストを低減させることができる。
【００８１】
なお、イカ釣具１Ａ・１Ｂ・１Ｃにおける餌取付け部材は、バネ材２またはゴム材１３と蛇腹材１６とを組み合わせて構成されてもよいものとする。
【００８２】
なお、イカ釣具１Ａ・１Ｂ・１Ｃの下方延出部３は棒状の部材で構成されているが、下方延出部３が棒状の部材で構成されることに特に限定するものではない。即ち、例えば、下方延出部３は糸状の樹脂素材からなる糸材で構成されても良いものとする。
【００８３】
イカ釣具１Ａ・１Ｂ・１Ｃにおける伸長規制手段は、糸ストッパ７や、蛇腹材１６で構成することに特に限定するものではない。例えば、図１５に示す如く、伸長規制手段を、クランク状の胴部を備える形状記憶合金からなる形状記憶部材１７で構成し、当該伸縮部を跨ぐようにして餌取付け部材に設けてもよいものとする。そして、このようにして餌取付け部材に設けられた形状記憶部材は、収縮した状態の伸縮部を伸長させると、クランク状の胴部が直線棒状に変形し（図１５（ａ）参照）、また、伸長した状態の伸縮部を収縮させると、その胴部がクランク状に変形する（図１５（ｂ）参照）。
つまり、このように伸長規制手段を構成して、餌取付け部に設けることで、伸縮部の伸長する量を所定の量に規制することができる。
【００８４】
さらに、以上のようにして形状記憶部材を餌取付け部材に設けることで、下方延出部３の素材によらず、案内部（バネ材２や筒材１２）の軸心上近傍に餌針５は安定して配置されることとなる。
このため、伸縮部が伸長して棒材８が回動し、引掛け針１１が餌取付け部材の軸心上近傍に配置されようとする際に、より確実に引掛け針１１にイカ２５に引っ掛けて、イカ２５を捕獲することができる。
【００８５】
なお、イカ釣具１Ａ・１Ｂは、伸長規制手段（糸ストッパ７）を設けることに特に限定するものではない。
また、イカ釣具１Ａ・１Ｂは、糸ストッパ７に代えて蛇腹材１６を餌取付け部材に設けても良いものとする。例えば、バネ材２の外周を蛇腹材の側面で覆うように、且つ、その下端部の外周面に下方延出部３を設け、その上端部の外周面に上方延出部４を一体的に設けるような構成である。
【符号の説明】
【００８６】
１Ａ・１Ｂ・１Ｃ  イカ釣具
２  バネ材
３  下方延出部
４  上方延出部
５  餌針
７  糸ストッパ
８  棒材
９  糸材
１０  第二棒材
１１  引掛け針
１２  筒材
１３  ゴム材
１４  糸材
１５  長尺棒材
１６  蛇腹材
１６ａ  蛇腹部
２１  道糸
２４  餌
２５  イカ
【図１】
2010213618.tif 000003
【図２】
2010213618.tif 000004
【図３】
2010213618.tif 000005
【図４】
2010213618.tif 000006
【図５】
2010213618.tif 000007
【図６】
2010213618.tif 000008
【図７】
2010213618.tif 000009
【図８】
2010213618.tif 000010
【図９】
2010213618.tif 000011
【図１０】
2010213618.tif 000012
【図１１】
2010213618.tif 000013
【図１２】
2010213618.tif 000014
【図１３】
2010213618.tif 000015
【図１４】
2010213618.tif 000016
【図１５】
2010213618.tif 000017
【手続補正書】
【提出日】平成21年4月1日(2009.4.1)
【手続補正１】
【補正対象書類名】明細書
【補正対象項目名】全文
【補正方法】変更
【補正の内容】
【発明の詳細な説明】
【技術分野】
【０００１】
本発明は、道糸に連結されるイカ釣具の技術に関する。
【背景技術】
【０００２】
従来、先端に餌針を設けたハリスの基端と、先端に引掛け針を設けた棒体の基端とを固定したイカ釣具の技術は公知となっている。
このようなイカ釣具を用いたイカ釣りは、生きた魚を好んで食するイカの習性を利用して行うものである。イカ釣りでは、アジ等の生き餌（以下、餌という）に餌針を取付けたイカ釣具を海中に投入する。そして、イカが餌に食いつき牽引した際に、当該引掛け針でイカを引っ掛けて捕獲する。
【０００３】
しかしながら、当該イカ釣具の引掛け針は、イカが餌に食いつき易いように、餌針に取付けられた餌から適宜に離れた位置に配置されている。このため、餌に食いついたイカが引掛け針のある位置に移動しなければ、引掛け針にイカを引っ掛けることはできず、イカを捕獲する確率は低いという問題があった。
【０００４】
また、前記イカを捕獲する確率が低いという問題を解決する技術として、餌針を設けたガイド体と固定具とを弾性体で連結し、前記固定具からガイド体を挿通したハリスの先端に引掛け針を設け、餌針に餌を取付けて、餌と引掛け針を適宜に離したイカ釣具の技術は公知となっている。例えば特許文献１に示す如くである。
【０００５】
このような弾性体を備えたイカ釣具では、イカが餌に食いつき牽引した際に、弾性体が伸びてハリスがガイド体に案内され、引掛け針が餌まで移動する。このため、餌に食いついたイカが引掛け針のある位置に移動しなくても、引掛け針にイカを引っ掛けて捕獲することができる。
【先行技術文献】
【特許文献】
【０００６】
【特許文献１】特開２００２−１２５５５０号公報
【発明の概要】
【発明が解決しようとする課題】
【０００７】
しかしながら、このような引掛け針が餌まで移動するイカ釣具は、ハリスの先端に引掛け針が設けられる構成となっている。このため、当該イカ釣具を海中に投入する際に、餌針に取付けた餌にハリスが絡まる虞がある。また、当該イカ釣具が海中にある際においても、餌が海中で動き回るため、当該餌にハリスが絡まる虞がある。さらに、このように餌にハリスが絡まると、ハリスの一側に設けられた引掛け針が、餌に引っ掛かる虞がある。
そして、このように餌にハリスが絡まること、および、前記ハリスが絡んで餌に引掛け針が引っ掛かることによって、当該餌は、海中で自然な活動を行うことができず、また、活きが悪くなり、ひいては当該餌へのイカの食いつきが悪くなってしまう。
【０００８】
本発明は以上の如き状況を鑑みてなされたものであり、イカの餌への食いつきを悪くせずに、イカを確実に捕獲することができるイカ釣具を提供することを課題とする。
【課題を解決するための手段】
【０００９】
本発明の解決しようとする課題は以上の如くであり、次にこの課題を解決するための手段を説明する。
【００１０】
即ち、請求項１においては、餌を取付けるための餌針を先端に備える餌取付け部材と、イカを引っ掛けるための引掛け針を先端に備えるイカ引掛け部材と、前記餌取付け部材の基端と前記イカ引掛け部材の基端とを固定する固定部材と、を具備し、道糸に連結されるイカ釣具であって、前記餌取付け部材は、前記イカ引掛け部材が挿通される案内部と、前記餌取付け部材を伸縮可能とする伸縮部とを備え、前記引掛け針は、前記伸縮部が収縮した状態で前記餌取付け部材の基端と反対側に前記餌針よりも離れた位置に配置され、前記イカ引掛け部材は、前記案内部に挿通され、且つ、前記餌に前記イカ引掛け部材が絡まることを防止する絡まり防止手段を備え、前記伸縮部が伸長して、前記餌針が前記引掛け針に接近するものである。
【００１１】
請求項２においては、前記絡まり防止手段は、前記伸縮部材が収縮した状態で、前記イカ引掛け部材の少なくとも前記餌針に取付けた餌よりも前記引掛け針側の部分を棒材とすることによって構成するものである。
【００１２】
請求項３においては、前記餌取付け部材は、前記伸縮部材が伸長した状態で、前記餌針に取付けた餌と前記引掛け針との間に所定の間隔があくように当該伸縮部材の伸長量を規制する伸長規制手段を備えるものである。
【００１３】
請求項４においては、前記餌取付け部材の一部をコイル状に形成することによって、前記案内部と前記伸縮部とを一体的に構成するものである。
【００１４】
請求項５においては、前記伸長規制手段は、糸状の部材で構成され、その一部が前記案内部に挿通されるものである。
【発明の効果】
【００１５】
本発明の効果として、以下に示すような効果を奏する。
【００１６】
即ち、本発明のイカ釣具によれば、イカの餌への食いつきを悪くせずに、イカを確実に捕獲することができる。
【図面の簡単な説明】
【００１７】
【図１】本発明の第一実施形態に係るイカ釣具を示した図。
【図２】本発明の第一実施形態に係るイカ釣具を示した図。
【図３】本発明の第一実施形態に係るイカ釣具を用いてイカ釣りを行っている状態を示した模式図。
【図４】本発明の第一実施形態に係るイカ釣具にイカが食いついた状態を示した図。
【図５】本発明の第一実施形態に係るイカ釣具にイカが食いついた状態を示した図。
【図６】本発明の第一実施形態に係るイカ釣具にイカが食いついた状態を示した図。
【図７】本発明の第一実施形態に係るイカ釣具を示した図。
【図８】本発明の第一実施形態に係るイカ釣具を示した図。
【図９】本発明の第一実施形態に係るイカ釣具を示した図。
【図１０】本発明の第二実施形態に係るイカ釣具を示した図。
【図１１】本発明の第二実施形態に係るイカ釣具を示した図。
【図１２】本発明の第二実施形態に係るイカ釣具にイカが食いついた状態を示した図。
【図１３】本発明の第三実施形態に係るイカ釣具を示した図。
【図１４】本発明の第三実施形態に係るイカ釣具を示した図。
【図１５】（ａ）は本発明の実施例に係るイカ釣具を示した図、（ｂ）は本発明の実施例に係るイカ釣具を示した図。
【発明を実施するための形態】
【００１８】
次に、本発明に係るイカ釣具の第一実施形態について、図１から図９を用いて説明する。
図１から図４に示す如く、イカ釣具１Ａは、道糸２１に連結されてイカ２５を釣るための仕掛であって、餌取付け部材と、イカ引掛け部材と、前記餌取付け部材の基端と前記イカ引掛け部材の基端とを固定する固定部材と、を具備する。
【００１９】
イカ釣具１Ａの餌取付け部材は、餌２４を取付けるための餌針５を先端に備える部材であり、イカ引掛け部材が挿通される案内部と、餌取付け部材を伸縮可能とする伸縮部と、道糸２１に連結される連結部６と、伸縮部材の伸長量を規制する伸長規制手段とを備える。
【００２０】
本実施形態の案内部と伸縮部とは、バネ材２によって構成される。バネ材２は、上下方向を軸心方向とするコイル状に形成されて、上下方向に伸縮可能に構成される。また、バネ材２は、コイル状に形成されることでその金属線によって仮想の円筒形状に構成される。そして、バネ材２内（円筒内）には後述するイカ引掛け部材の一部が挿通される。つまり、本実施形態において、バネ材２が本体の一部をコイル状に形成されることによって、案内部と伸縮部とが一体的に構成される。なお、案内部は、伸縮部が伸長する際に、餌取付け部材の軸心に沿うようにイカ引掛け部材を案内し、餌針５を引掛け針１１近傍に接近させるものである。
【００２１】
下方延出部３は、棒状の部材であって、バネ材２と一体的に形成されている。下方延出部３は、その上端部がバネ材２の下端部に接続され、バネ材２から下方に向かって延出されている。下方延出部３の下方部は、餌取付け部材の先端として構成され、ここに餌針５が取付けられている。
【００２２】
上方延出部４は、棒状の部材であり、バネ材２と一体的に設けられている。上方延出部４は、その下端部でバネ材２の上端部に接続され、このバネ材２から上方に向かって延出されている。上方延出部４の上下中途部には、餌取付け部材の基端とイカ引掛け部材の基端とを固定する固定部材としての固定部４ａが配設されている。固定部４ａが配設される上方延出部４の上下中途部は、餌取付け部材の基端として構成される。
また、上方延出部４の上端部には、道糸２１を連結するための連結部６が一体的に設けられている。
【００２３】
餌針５は、餌２４を取付けるための針であって、その針基に餌取付け部材と連結するための貫通孔を備える。
餌針５は、その貫通孔に下方延出部３の下方部が貫入され、当該糸通し用の穴から延出する下方延出部３の下方部が環状に折り返され、当該下端部の先端が固定部３ａにて固定されることによって、下方延出部３の下方部に設けられている。つまり、餌針５は、下方延出部３の下方部に設けられることによって、餌取付け部材の先端に備えられる。
このように餌取付け部材を構成することで、餌針５を下方に牽引すると、伸縮部であるバネ材２が下方に伸長することとなる。
【００２４】
なお、餌針５に固定される餌２４は、例えば、全長：略１０ｃｍ・上下幅：略３ｃｍのアジ等の生き餌が用いられる。そして、餌２４は、その向きが上下方向に対して略垂直方向に向くように、その上後端部に餌針５が刺貫されて餌針５に取付けられる。
【００２５】
本実施形態に係る伸長規制手段は、糸ストッパ７によって構成される。糸ストッパ７は、所定の長さを有する糸状の樹脂素材からなる部材である。伸縮部（バネ材２）の伸長量を所定の量に規制するものである。
糸ストッパ７は、伸縮部（バネ材２）が収縮した状態でその胴部が撓むように、且つ、案内部および伸縮部（バネ材２）を跨ぐようにして、その一側が固定部３ａによってかしめて固定され、その他側が上方延出部４の上下中途部に固定部４ａによってかしめて固定されて、餌取付け部材に設けられている。
【００２６】
本実施形態に係るイカ釣具１Ａのイカ引掛け部材は、イカを引っ掛けるための引掛け針を先端に備える部材であり、餌針５と、棒材８と、糸材９と、餌針５と、餌針５に取付けられた餌２４にイカ引掛け部材が絡まることを防止する絡まり防止手段と、を備える。
【００２７】
棒材８は、所定の長さを有する金属素材からなる直線棒状の部材であって、その下端部（先端）は、イカ引掛け部材の先端として構成される。棒材８の先端には引掛け針１１が設けられる。
【００２８】
引掛け針１１は、イカ２５を引っ掛けるための釣針であって、錨状に形成される。また、引掛け針１１は、針先が上方を向くようにして、引掛け針１１の針基と棒材８の先端とを取付け部１１ａによってかしめて固定することによって、棒材８の先端に設けられている。このようにして、引掛け針１１がイカ引掛け部材の先端に設けられている。
【００２９】
糸材９は、所定の長さを有する糸状の樹脂素材からなる部材である。糸材９の下端部と棒材８の基端とが接続部８ａによってかしめて固定されることによって、糸材９は棒材８に接続されている。糸材９の上端部は、イカ引掛け部材の基端として構成される。
このようにして、糸材９が棒材８に接続されることによって、棒材８および糸材９は、イカ引掛け部材の一部として構成される。
【００３０】
そして、棒材８に接続された糸材９はバネ材２内に下方から挿通され、当該糸材９の上端部は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
【００３１】
また、糸材９の長さは、その上端部が固定部４ａに固定された状態で、且つ、バネ材２が収縮した状態で、糸材９の下端部が下方延出部３の上下中途部にまで延出するように構成される。つまり、棒材８の基端は、バネ材２が収縮した状態で、下方延出部３の上下中途部、即ち、少なくとも餌針５に取付けられた餌２４よりも餌取付け部材の基端側に配置される。
さらに、棒材８の先端は、糸材９の上端部が固定部４ａに固定された状態で、且つ、バネ材２が収縮した状態で、餌取付け部材の基端側と反対側に前記餌２４よりも離れた位置に配置される。つまり、棒材８の先端に設けられる引掛け針１１は、糸材９の上端部が固定部４ａに固定された状態で、且つ、バネ材２が収縮した状態で、餌取付け部材の基端側と反対側に前記餌２４よりも離れた位置に配置される。
このように、本実施形態においては、バネ材２が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。
【００３２】
このように構成されたイカ釣具１Ａは、図３に示す如く、イカ釣具１Ａの連結部６と釣り竿２２から伸びる道糸２１の先端とが連結されて、海中に投入される。道糸２１の中途部には、浮き２３が取付けられている。そして、当該イカ釣具１Ａの餌針５に取付けられた餌２４を泳がせて、イカ２５が餌２４に食いつくのを待つ。
【００３３】
また、餌針５に取付けられた餌２４は泳ぎまわることから、イカ釣具１Ａは当該餌２４に牽引されて、下方延出部３の傾斜する角度は逐次変化することとなる。例えば、餌２４は、下方延出部３の下方部に設けられた餌針５に取付けられているため、餌２４が水平方向に泳いでイカ釣具１Ａを牽引した場合には、イカ釣具１Ａの下方延出部３は、餌２４の進行方向と反対方向に傾斜することとなる。
【００３４】
他方、バネ材２から下方に延出する糸材９の一部および棒材８は、例えば、餌２４が水平方向に泳いでイカ釣具１Ａを牽引した場合には、接続部８ａと糸材９との境界を支点として、下方延出部３が傾斜する方向と反対方向に傾斜しようとする。また、餌２４が下方延出部３が傾斜したままの状態で餌２４が静止している場合には、バネ材２から下方に延出する糸材９の一部および棒材８は、潮流に従って傾斜する角度を変え、また、引掛け針１１の自重に従って鉛直方向を向こうとする。
つまり、イカ釣具１Ａは、伸縮部（バネ材２）が収縮した状態で、案内部（バネ材２）から餌取付け部材の先端側に延出するイカ引掛け部材の一部（棒材８および糸材９）は、餌取付け部材（下方延出部３）が延出する方向と異なる方向に延出、即ち、揺動可能に構成されている。なお、以下においては便宜上、棒材８は、鉛直方向を向いているものとして説明する。
【００３５】
そして、図４および図５に示す如く、イカ２５が餌２４に食いついた際には、当該イカ２５は餌２４を拘束したままイカ釣具１Ａから離れようとして、イカ釣具１Ａの下方延出部３は傾斜する。またこの際、餌２４にイカ２５が食いついたことを確認した釣り人は、保持している釣り竿２２および道糸２１を介してイカ釣具１Ａの連結部６を牽引する。
ここで、本実施形態に係るイカ釣具１Ａは、その餌針５または連結部６を牽引すると、伸縮部であるバネ材２が下方に伸長するように構成されている（図２参照）。つまり、イカ２５がイカ釣具１Ａから離れようとし、または、イカ釣具１Ａの連結部６を牽引すると、餌針５に餌２４が取付けられているため、イカ釣具１Ａのバネ材２が伸長することとなる。
【００３６】
また、バネ材２が伸長していく過程において、バネ材２の下端部が棒材８の基端に至るまでバネ材２が伸長して、糸材９の下端部がバネ材２内に侵入すると、バネ材２の下端部に棒材８の基端が当接することとなる。
係る状態でさらにバネ材２が伸長していくと、図５および図６に示す如く、棒材８が回動しながら、イカ引掛け部材の接続部８ａおよび棒材８がバネ材２内に侵入していくこととなる。より詳細には、棒材８は、その傾斜する角度と下方延出部３が傾斜する角度とが一致するように、イカ引掛け部材の接続部８ａと糸材９との境界を支点として回動しようとする。つまり、引掛け針１１は、餌取付け部材の軸心上近傍に配置されようとする。そして、バネ材２が伸長していくに従って、餌取付け部材の軸心に沿うようにして、イカ引掛け部材の接続部８ａがバネ材２内に侵入し、次いで棒材８がバネ材２内に侵入していく。こうして、餌取付け部材の基端側と反対側に餌２４よりも離れた位置に配置された餌針５が、引掛け針１１近傍に接近することとなる。
以上のようにして、イカ釣具１Ａは、イカ２５がイカ釣具１Ａから離れようとし、また、イカ釣具１Ａの連結部６を牽引すると、伸縮部が伸長して、餌針５が引掛け針１１に接近するように構成されている。
【００３７】
もっとも、餌針５に取付けられた餌２４にイカ２５が食いついているため、イカ２５がイカ釣具１Ａから離れようとし、また、イカ釣具１Ａの連結部６を牽引すると、餌針５が引掛け針１１に接近し、当該引掛け針１１がイカ２５に当接して引っ掛かることとなる。つまり、餌２４に食いついたイカ２５が引掛け針１１のある位置に移動しなくても引掛け針１１にイカ２５を引っ掛けて、イカ２５を確実に捕獲することができる。
【００３８】
また、バネ材２が伸長していく過程において、バネ材２の下端部に棒材８の基端が当接して棒材８が回動し、引掛け針１１が餌取付け部材の軸心上近傍に配置されようとする際に、当該引掛け針１１が、イカ２５に当接して引っ掛かることとなる。
したがって、棒材８の回動する勢いを利用して引掛け針１１にイカ２５に引っ掛けて、確実にイカ２５を捕獲することができる。また、イカ釣具１Ａの連結部６を牽引するタイミングが遅れた場合にも、イカ２５が餌針５を牽引することによって、バネ材２が所定の量で伸長した際に棒材８が回動して引掛け針１１がイカ２５に引っ掛かかるため、確実にイカ２５を捕獲することができる。
【００３９】
さらに、係る状態でバネ材２がさらに伸長すると、バネ材２が伸長していくに従って、餌取付け部材の軸心に沿うようにして、棒材８がバネ材２内に侵入していき、餌針５が引掛け針１１近傍に接近することとなる。したがって、前記イカ２５への引掛け針１１の刺入深度を深くすることができ、確実にイカ２５を捕獲することができる。
【００４０】
また、イカ釣具１Ａは、餌針５に取付けられた餌２４が当該イカ引掛け部材に絡まることを防止する絡まり防止手段を備える。本実施形態に係る絡まり防止手段は、バネ材２が収縮した状態で、イカ引掛け部材の少なくとも餌針５に取付けた餌２４よりも引掛け針１１側の部分が、棒材８として構成されることで、イカ引掛け部材が絡まり防止手段を備える構成とされる。そして、棒材８は、棒状の部材である。
このように絡まり防止手段を構成することにより、バネ材２が収縮した状態において、イカ引掛け部材（糸材９）は、少なくとも前記餌２４の胴部には絡まらないこととなる。
したがって、イカ釣具１Ａによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００４１】
さらに、バネ材２が収縮した状態で、棒材８の基端は、下方延出部３の上下中途部に配置される。そして、棒材８は、棒状の部材である。
このため、本実施形態のイカ釣具１Ａでは、バネ材２が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ａによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
なお、バネ材２が伸長した際には、糸材９の下端部はバネ材２内に侵入していくため、イカ引掛け部材（糸材９）が前記餌２４に絡まることはない。
また、バネ材２が収縮した状態で、引掛け針１１を餌２４に確実に接触させないためには、棒材８の先端が延出する位置を餌２４からより遠くなるように棒材８の長さを構成すること、例えば、棒材８の長さを餌２４の全長以上に構成することが好ましい。
【００４２】
イカ釣具１Ａは、伸長規制手段である糸ストッパ７を備える。糸ストッパ７は、伸縮部（バネ材２）の伸長する量を所定の量に規制する。糸ストッパ７は、伸縮部（バネ材２）が収縮した状態でその胴部が撓むように、且つ、案内部および伸縮部（バネ材２）を跨ぐようにして、餌取付け部材に設けられている（図１参照）。
他方、図２に示す如く、餌針５を下方に牽引して伸縮部（バネ材２）が伸長して、撓みがなくなって糸ストッパ７が緊張したとき、即ち、餌針５が引掛け針１１に最も近接したとき、餌針５に取付けられた餌２４と引掛け針１１との間には所定の間隔Ｘがあいている。つまり、糸ストッパ７は、伸縮部材（バネ材２）が伸長した状態で、餌針５に取付けた餌２４と引掛け針１１との間に所定の間隔Ｘがあくように、伸縮部材（バネ材２）の伸長量を規制している。なお、伸縮部（バネ材２）が収縮した状態での糸ストッパ７の撓み量と、伸縮部（バネ材２）との伸長量とは略同一である。つまり、伸縮部（バネ材２）は、当該糸ストッパ７の撓み量でその伸長量が規制されている。
以上のことから、イカ釣具１Ａを海中に投入する際、または、イカ釣具１Ａが海中にあるときに餌２４が動き回った際に、バネ材２（伸縮部）が伸長しても、餌２４に引掛け針１１が接触しがたいこととなる。
したがって、イカ釣具１Ａによれば、伸縮部が伸長した際に引掛け針１１が餌２４に接触することを要因としてイカ２５の餌２４への食いつきが悪くなることを防止することができる。
【００４３】
なお、この所定の間隔Ｘは、餌針５に取付けられた餌２４の向きが水平方向を向いた状態で、当該餌２４と引掛け針１１とが接触しない間隔を示すものである。つまり、間隔Ｘは、餌針５を軸として前記餌２４が回転した際においても、当該餌２４と引掛け針１１とが接触しないことを示すものではない。このため、餌針５に取付けられた餌２４と引掛け針１１とを確実に接触させないためには、間隔Ｘをより狭い間隔とすべく糸ストッパ７の長さを構成することが望ましい。
【００４４】
本実施形態に係る案内部と伸縮部とは、バネ材２によって構成される。バネ材２は、コイル状に形成され、伸縮可能に構成される。バネ材２内にはイカ引掛け部材が挿通される。つまり、本実施形態において、バネ材２が本体の一部をコイル状に形成されることによって、案内部と伸縮部とが一体的に構成される。
したがって、イカ釣具１Ａを簡易構造で実現することができ、また、イカ釣具１Ａの製造コストを低減させることができる。
【００４５】
イカ釣具１Ａの棒材８は、直線棒状の部材である。
このため、バネ材２が伸長してバネ材２内に棒材８が侵入していく際に、バネ材２内に棒材８がスムーズに侵入することとなる。したがって、スムーズに餌針５が引掛け針１１近傍に接近することができ、確実にイカ２５を捕獲することができる。
また、伸長したバネ材２が収縮した状態にもどる際にも、バネ材２内に侵入した棒材８は、バネ材２や棒材８を破損することなくバネ材２内からスムーズに脱することとなる。したがって、同一のイカ釣具１Ａで何度もイカ釣りを行うことができ、イカ釣りに費やすコストを低減することができる。
【００４６】
なお、棒材８が、弱い曲げ応力に対して容易に変形するような素材からなる場合には、棒材８が回動して引掛け針１１がイカ２５に引っ掛かる際に、前記イカ２５への引掛け針１１の刺入深度が浅くなる虞がある。また、引掛け針１１にイカ２５が引っ掛かった際にも、当該イカ２５が暴れること等により、当該引掛け針１１からイカ２５が容易に外れてしまう虞がある。このため、棒材８は、強い曲げ応力が加わっても大きく変形しない素材からなることが好ましい。
【００４７】
また、バネ材２が伸長する際に、バネ材２の最下端の金属線（以下、最下端金属線という）と、最下端金属線の直上の金属線（以下、直上金属線という）とが離間して、これらの間に隙間が生じる。しかしながら、バネ材２は、最下端金属線と直上金属線とが離間しないように、また、これらの間に生じる隙間が閉塞した状態に、構成されることが好ましい。バネ材２がこのように構成されることにより、糸ストッパ７（伸長規制手段）、棒材８、糸材９（イカ引掛け部材）等が、前記隙間に侵入してバネ材２に絡まることを防止することができる。
なお、例えば、最下端金属線と直上金属線とを接着剤によって接着すること等により、最下端金属線と直上金属線とが離間しないようにバネ材２を構成することができる。また、バネ材２と下方延出部３との境界部分（最下端金属線）と、直上金属線とを樹脂素材からなる糸材で結束すること等により、これらの間に生じる隙間が閉塞した状態にバネ材２は構成される。
【００４８】
同様に、バネ材２が伸長する際に、バネ材２の最上端の金属線（以下、最上端金属線という）と、最上端金属線の直下の金属線（以下、直下金属線という）とが離間して、これらの間に隙間が生じる。しかしながら、バネ材２は、最上端金属線と直下金属線とが離間しないように、また、これらの間に生じる隙間が閉塞した状態に、構成されることが好ましい。バネ材２がこのように構成されることにより、糸ストッパ７（伸長規制手段）、棒材８、糸材９（イカ引掛け部材）等が、前記隙間に侵入してバネ材２に絡まることを防止することができる。
なお、例えば、最上端金属線と直下金属線とを接着剤によって接着すること等により、最上端金属線と直下金属線とが離間しないようにバネ材２を構成することができる。また、バネ材２と上方延出部４との境界部分（最上端金属線）と、直下金属線とを樹脂素材からなる糸材で結束すること等により、これらの間に生じる隙間が閉塞した状態にバネ材２は構成される。
【００４９】
イカ釣具１Ａの糸ストッパ７は、案内部および伸縮部（バネ材２）を跨ぐようにして、餌取付け部材に設けられることに特に限定するものではない。即ち、例えば、図７に示す如く、糸ストッパ７は、その一部がバネ材２に挿通され、且つ、バネ材２が収縮した状態でその胴部が撓むように、その一側が固定部３ａによってかしめて固定され、その他側が上方延出部４の上下中途部に固定部４ａによってかしめて固定されて、餌取付け部材に設けられてもよいものとする。
このように、糸ストッパ７を餌取付け部材に設けることによって、糸ストッパ７（伸長規制手段）が、バネ材２の金属線間に侵入してバネ材２に絡まることを防止することができる。
【００５０】
イカ釣具１Ａの案内部と伸縮部とは、バネ材２によってこれらが一体的に構成されるが、当該案内部と伸縮部とがバネ材２によって構成されることに特に限定するものではない。即ち、例えば、案内部と伸縮部とは、上下方向を軸心方向とする筒状に形成され、且つ、上下方向に伸縮可能な、ゴム素材からなるゴム管で構成されても良いものとする。
【００５１】
また、図８に示す如く、イカ釣具１Ａのイカ引掛け部材は、糸材９に代えて第二棒材１０を用いて構成されても良いものとする。詳細には、第二棒材１０は、糸材９と同等の長さを有する金属素材からなる直線棒状の部材である。
また、第二棒材１０は、その下端部と棒材８の基端とが接続部８ｂによって固定されることによって棒材８に接続される。第二棒材１０の上端部は、イカ引掛け部材の基端として構成される。このようにして、第二棒材１０が棒材８に接続されることで、棒材８および第二棒材１０はイカ引掛け部材の一部として構成される。
そして、棒材８に接続された第二棒材１０はバネ材２内に下方から挿通され、第二棒材１０の上端部は上方延出部４の上下中途部に固定部４ａによってかしめて固定される。
なお、接続部８ｂは、棒材８の軸心と第二棒材１０の軸心とが一致するようにして、棒材８の基端と第二棒材１０の下端部とに糸状の樹脂素材からなる糸材を巻きつけることによって構成される。このように接続部８ｂを構成することにより、棒材８は接続部８ｂを支点に回動可能に構成される。
【００５２】
また、図９に示す如く、イカ釣具１Ａの牽引部は、その全部が長尺棒材１５で構成されても良いものとする。詳細には、長尺棒材１５は、棒材８と糸材９とが接続部８ａで接続されたイカ引掛け部材の全長と同等の長さを有する金属素材からなる直線棒状の部材である。長尺棒材１５の先端はイカ引掛け部材の先端として構成される。また、長尺棒材１５の基端は、イカ引掛け部材の基端として構成される。このように、長尺棒材１５にてイカ引掛け部材を構成することにより、イカ釣具１Ａにおけるイカ引掛け部材の全部は、長尺棒材１５で構成される。
また、長尺棒材１５の先端と引掛け針１１の針基とを取付け部１１ａによってかしめて固定されることによって、長尺棒材１５の先端に引掛け針１１が設けられている。
そして、長尺棒材１５はバネ材２内に下方から挿通され、当該長尺棒材１５の基端は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
以上のようにして、長尺棒材１５にてイカ引掛け部材を構成することにより、イカ釣具１Ａにおけるイカ引掛け部材の全部は、長尺棒材１５で構成される。そして、牽引部の全部を長尺棒材１５で構成することにより、イカ釣具１Ａを簡易構造で実現することができ、また、イカ釣具１Ａの製造コストを低減させることができる。
また、棒材８、第二棒材１０、長尺棒材１５は、直線棒状であることに特に限定するものではない。
【００５３】
次に、本発明に係るイカ釣具の第二実施形態について、図１０から図１２を用いて説明する。なお、第二実施形態に係るイカ釣具１Ｂは、第一実施形態に係るイカ釣具１Ａと同様の構成を有する部分があるため、本実施形態に係るイカ釣具１Ｂの説明は、イカ釣具１Ａと同様の構成の部分については適宜省略し、イカ釣具１Ａと異なる部分を中心に説明する。
【００５４】
図１０および図１１に示す如く、イカ釣具１Ｂの餌取付け部材は、イカ引掛け部材が挿通される案内部と、餌取付け部材を伸縮可能とする伸縮部と、道糸２１に連結される連結部６と、伸縮部の伸長量を規制する伸長規制手段とを備える。
【００５５】
本実施形態に係るイカ釣具１Ｂの案内部は、筒材１２によって構成される。筒材１２は、上下方向を軸心方向とする筒状に形成される樹脂素材からなる部材である。筒材１２の上下方向の長さは、イカ引掛け部材が筒材１２内に挿通された状態で、その下端部が、棒材８の基端および糸材９の下端部の直上に配置されるように構成される。
筒材１２には、筒材１２から下方に向かって延出するように、その下端部の外周面に下方延出部３の上端部が接着剤等によって接合されて、下方延出部３が一体的に設けられている。
【００５６】
本実施形態に係るイカ釣具１Ｂの伸縮部は、ゴム材１３によって構成される。ゴム材１３は、上下方向に伸縮可能なゴム素材からなる紐状の部材であり、その下端部が筒材１２の上端部の外周面に一体的に設けられている。ゴム材１３の上端部には、餌取付け部材の基端とイカ引掛け部材の基端とを固定する固定部材としての固定部１３ａが配設されている。固定部１３ａが配設されるゴム材１３の上端部は、餌取付け部材の基端として構成される。
【００５７】
上方延出部１４は、棒状の部材であって、ゴム材１３から上方に向かって延出するように、その下端部が、固定部１３ａによってかしめて固定されている。
糸材１４の上端部には、道糸２１を連結するための連結部６が一体的に設けられている。
【００５８】
このように餌取付け部材を構成することで、餌針５を下方に牽引すると、伸縮部であるゴム材１３が下方に伸長することとなる。
【００５９】
棒材８に接続された糸材９は筒材１２内に下方から挿通され、当該糸材９の上端部が固定部１３ａによってかしめて固定される。つまり、イカ引掛け部材が案内部に挿通され、餌取付け部材の基端とイカ引掛け部材の基端とが固定部材によって固定されている。またこのとき、棒材８の基端および接続部８ａは、ゴム材１３が収縮した状態で、筒材１２の下端部の直下に配置される。つまり、棒材８の基端は、ゴム材１３が収縮した状態で、下方延出部３の上端部の直下、即ち、少なくとも餌針５に取付けられた餌２４よりも餌取付け部材の基端側に配置される。
さらに、棒材８の先端は、糸材９の上端部が固定部１３ａに固定された状態で、且つ、ゴム材１３が収縮した状態で、餌取付け部材の基端側と反対側に前記餌２４よりも離れた位置に配置される。つまり、棒材８の先端に設けられる引掛け針１１は、糸材９の上端部が固定部１３ａに固定された状態で、且つ、ゴム材１３が収縮した状態で、餌取付け部材の基端側と反対側に前記餌２４よりも離れた位置に配置される。
【００６０】
このように、本実施形態においては、ゴム材１３が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。そして、棒材８は、棒状の部材である。
このように絡まり防止手段を構成することにより、ゴム材１３が収縮した状態において、イカ引掛け部材（糸材９）は、少なくとも前記餌２４の胴部には絡まらないこととなる。
したがって、イカ釣具１Ｂによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００６１】
さらに、ゴム材１３が収縮した状態で、棒材８の基端は、下方延出部３の上端部の直下に配置される。そして、棒材８は、棒状の部材である。
このため、本実施形態のイカ釣具１Ｂでは、ゴム材１３が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ｂによれば、餌２４にイカ引掛け部材が絡まること、および、イカ引掛け部材が絡まって餌２４に引掛け針１１が引っ掛かること、を要因としてイカ２５の餌２４への食いつきが悪くなることを確実に防止することができる。
なお、ゴム材１３が伸長した際には、糸材９の下端部は筒材１２内に侵入していくため、イカ引掛け部材（糸材９）が前記餌２４に絡まることはない。
【００６２】
本実施形態に係るイカ釣具１Ｂは、その餌針５または連結部６を牽引すると、伸縮部であるゴム材１３が下方に伸長するように構成されている（図１１参照）。つまり、イカ２５がイカ釣具１Ｂから離れようとし、または、イカ釣具１Ｂの連結部６を牽引すると、餌針５に餌２４が取付けられているため、イカ釣具１Ｂのゴム材１３が伸長することとなる。
【００６３】
また、ゴム材１３が伸長していく過程において、筒材１２の下端部が棒材８の基端に至るまでゴム材１３が伸長して糸材９の下端部が筒材１２内に侵入すると、筒材１２の下方の開口部に棒材８の基端が当接することとなる。
係る状態でさらにゴム材１３が伸長していくと、棒材８が回動しながら、イカ引掛け部材の接続部８ａおよび棒材８が筒材１２内に侵入していくこととなる。より詳細には、棒材８は、その傾斜する角度と下方延出部３が傾斜する角度とが一致するように、イカ引掛け部材の接続部８ａと糸材９との境界を支点として回動しようとする。つまり、引掛け針１１は、餌取付け部材の軸心上近傍に配置されようとする。そして、ゴム材１３が伸長していくに従って、餌取付け部材の軸心に沿うようにして、イカ引掛け部材の接続部８ａが筒材１２内に侵入し、次いで棒材８が筒材１２内に侵入していく。こうして、餌取付け部材の基端側と反対側に餌２４よりも離れた位置に配置された餌針５が、引掛け針１１近傍に接近することとなる。
以上のようにして、イカ釣具１Ｂは、イカ２５がイカ釣具１Ｂから離れようとし、また、イカ釣具１Ｂの連結部６を牽引すると、伸縮部が伸長して、餌針５が引掛け針１１に接近するように構成されている。
【００６４】
もっとも、餌針５に取付けられた餌２４にイカ２５が食いついているため、イカ２５がイカ釣具１Ｂから離れようとし、また、イカ釣具１Ｂの連結部６を牽引すると、餌針５が引掛け針１１に接近し、当該引掛け針１１がイカ２５に当接して引っ掛かることとなる。つまり、餌２４に食いついたイカ２５が引掛け針１１のある位置に移動しなくても引掛け針１１にイカ２５を引っ掛けて、イカ２５を確実に捕獲することができる。
【００６５】
また、ゴム材１３が伸長していく過程において、筒材１２の下方の開口部に棒材８の基端が当接して棒材８が回動し、引掛け針１１が餌取付け部材の軸心上近傍に配置されようとする際に、当該引掛け針１１が、イカ２５に当接して引っ掛かることとなる。
したがって、棒材８の回動する勢いを利用して引掛け針１１にイカ２５に引っ掛けて、確実にイカ２５を捕獲することができる。また、イカ釣具１Ｂの連結部６を牽引するタイミングが遅れた場合にも、イカ２５が餌針５を牽引することによって、バネ材２が所定の量で伸長した際に棒材８が回動して引掛け針１１がイカ２５に引っ掛かかるため、確実にイカ２５を捕獲することができる。
【００６６】
さらに、イカ釣具１Ｂにおいては、筒材１２の上下方向の長さは、イカ引掛け部材が筒材１２内に挿通された状態で、その下端部は、棒材８の基端および糸材９の下端部の直上に配置されるように構成される。そして、棒材８の基端および接続部８ａは、ゴム材１３が収縮した状態で、筒材１２の下端部の直下に配置される。
このため、ゴム材１３が伸長する幅が狭い段階で、棒材８が回動することとなる。つまり、イカ２５がイカ釣具１Ｂから離れようとし、また、イカ釣具１Ｂの連結部６を牽引してバネ材１３が伸長する際に、その伸長の速い時期に、棒材８が回動することとなる。
したがって、イカ釣具１Ｂの連結部６を牽引するタイミングが遅れた場合にも、より速いタイミングで棒材８が回動して引掛け針１１がイカ２５に引っ掛かかるため、より確実にイカ２５を捕獲することができる。
【００６７】
さらに、係る状態でゴム材１３がさらに伸長すると、ゴム材１３が伸長していくに従って、餌取付け部材の軸心に沿うようにして、棒材８が筒材１２内に侵入していき、餌針５が引掛け針１１近傍に接近することとなる。したがって、前記イカ２５への引掛け針１１の刺入深度を深くすることができ、確実にイカ２５を捕獲することができる。
【００６８】
イカ釣具１Ｂは、伸長規制手段である糸ストッパ７を備える。糸ストッパ７は、伸縮部（ゴム材１３）が収縮した状態でその胴部が撓むように、且つ、案内部（筒材１２）および伸縮部（ゴム材１３）を跨ぐようにして、その一側が固定部３ａによってかしめて固定され、その他側が固定部１３ａによってかしめて固定されて、餌取付け部材に設けられている。
【００６９】
他方、図１１に示す如く、餌針５を下方に牽引して伸縮部（ゴム材１３）が伸長して、撓みがなくなって糸ストッパ７が緊張したとき、即ち、餌針５が引掛け針１１に最も近接したとき、餌針５に取付けられた餌２４と引掛け針１１との間には所定の間隔Ｘがあいている。つまり、糸ストッパ７は、伸縮部材（ゴム材１３）が伸長した状態で、餌針５に取付けた餌２４と引掛け針１１との間に所定の間隔Ｘがあくように、伸縮部材（ゴム材１３）の伸長量を規制している。なお、伸縮部（ゴム材１３）が収縮した状態での糸ストッパ７の撓み量と、伸縮部（ゴム材１３）との伸長量とは略同一である。つまり、伸縮部（ゴム材１３）は、当該糸ストッパ７の撓み量でその伸長量が規制されている。
以上のことから、イカ釣具１Ｂを海中に投入する際、または、イカ釣具１Ｂが海中にあるときに餌２４が動き回った際に、ゴム材１３（伸縮部）が伸長しても、餌２４に引掛け針１１が接触しがたいこととなる。
したがって、イカ釣具１Ｂによれば、伸縮部が伸長した際に引掛け針１１が餌２４に接触することを要因としてイカ２５の餌２４への食いつきが悪くなることを防止することができる。
【００７０】
なお、イカ釣具１Ｂの伸縮部はゴム材１３で構成されているが、当該伸縮部がゴム材１３で構成されることに特に限定するものではない。即ち、例えば、伸縮部は、上下方向を軸心方向とするコイル状に形成されて、上下方向に伸縮可能に構成されるバネ材で構成されても良いものとする。
【００７１】
次に、本発明に係るイカ釣具の第三実施形態について、図１３および図１４を用いて説明する。なお、第三実施形態に係るイカ釣具１Ｃは、第一実施形態に係るイカ釣具１Ａと同様の構成を有する部分があるため、本実施形態に係るイカ釣具１Ｃの説明は、イカ釣具１Ａと同様の構成の部分については適宜省略し、イカ釣具１Ａと異なる部分を中心に説明する。
【００７２】
図１３および図１４に示す如く、イカ釣具１Ｃの餌取付け部材は、イカ引掛け部材が挿通される案内部と、餌取付け部材を伸縮可能とする伸縮部と、道糸２１に連結される連結部６と、伸縮部の伸長量を規制する伸長規制手段とを備える。
【００７３】
本実施形態における案内部と伸縮部と伸長規制手段とは、蛇腹材１６によって構成される。蛇腹材１６は、上下方向を軸心方向とする筒状の樹脂素材からなる部材である。蛇腹材１６の下端部の外周面には、例えば接着剤等で下方延出部３の上端部が接合されて、下方延出部３が一体的に設けられている。また、蛇腹材１６の上端部の外周面には、例えば接着剤等で上方延出部４の上端部が接合されて、上方延出部４が一体的に設けられている。
【００７４】
また、蛇腹材１６は、その上下中途部に、上下方向に伸縮可能な蛇腹部１６ａを備える。詳細には、蛇腹材１６は、複数段に重なり合うようにその側面を屈折させることで収縮した状態となる（図１３参照）。
他方、蛇腹材１６は、当該蛇腹部１６ａにおける屈折して重なり合う側面同士を展開させることで伸長した状態となる（図１４参照）。そしてこのことは、蛇腹材１６は、重なり合う側面を展開させた状態における蛇腹部１６ａの上下方向の長さ以上には伸長しないことを示す。
つまり、蛇腹材１６は、屈折または展開可能な側面を備える部材であって、当該側面が屈折または展開することによって伸縮可能とし、且つ、当該側面によって伸長量を所定の量に規制している。
【００７５】
そして、棒材８に接続された糸材９は蛇腹材１６内に下方から挿通され、当該糸材９の上端部は上方延出部４の上下中途部に固定部４ａによってかしめて固定される。つまり、イカ引掛け部材が案内部に挿通され、餌取付け部材の基端とイカ引掛け部材の基端とが固定部材によって固定されている。
【００７６】
また、糸材９の長さは、その上端部が固定部４ａに固定された状態で、且つ、蛇腹材１６が収縮した状態で、糸材９の下端部が下方延出部３の上下中途部にまで延出するように構成される。つまり、棒材８の基端は、蛇腹材１６が収縮した状態で、下方延出部３の上下中途部、即ち、少なくとも餌針５に取付けられた餌２４よりも餌取付け部材の基端側に配置される。
さらに、棒材８の先端は、糸材９の上端部が固定部４ａに固定された状態で、且つ、蛇腹材１６が収縮した状態で、餌取付け部材の基端側と反対側に前記餌２４よりも離れた位置に配置される。つまり、棒材８の先端に設けられる引掛け針１１は、糸材９の上端部が固定部４ａに固定された状態で、且つ、蛇腹材１６が収縮した状態で、餌取付け部材の基端側と反対側に前記餌２４よりも離れた位置に配置される。
【００７７】
このように、本実施形態においては、蛇腹材１６が収縮した状態で、イカ引掛け部材の少なくとも餌針５に取付けた餌２４よりも引掛け針１１側の部分が棒材８として構成されることで、イカ引掛け部材が絡まり防止手段を備える構成とされる。そして、棒材８は、棒状の部材である。
このように絡まり防止手段を構成することにより、蛇腹材１６が収縮した状態において、イカ引掛け部材（糸材９）は、少なくとも前記餌２４の胴部には絡まらないこととなる。
したがって、イカ釣具１Ｃによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
【００７８】
さらに、蛇腹材１６が収縮した状態で、棒材８の基端は、下方延出部３の上下中途部に配置される。そして、棒材８は、棒状の部材である。
このため、本実施形態のイカ釣具１Ｃでは、蛇腹材１６が収縮した状態において、イカ引掛け部材の棒材８は前記餌２４に接触し得るが、イカ引掛け部材の糸材９は前記餌２４に接触し難いこととなり、イカ引掛け部材（糸材９）は前記餌２４の頭部や尾部にも絡まないこととなる。
したがって、イカ釣具１Ｃによれば、餌２４にイカ引掛け部材が絡まること、および、イカ引掛け部材が絡まって餌２４に引掛け針１１が引っ掛かること、を要因としてイカ２５の餌２４への食いつきが悪くなることを防止することができる。
なお、蛇腹材１６が伸長した際には、糸材９の下端部は蛇腹材１６内に侵入していくため、イカ引掛け部材（糸材９）が前記餌２４に絡まることはない。
【００７９】
さらに、イカ釣具１Ｃの伸縮部と伸長規制手段とは、上下方向を軸心方向とする筒状の樹脂素材からなる部材である蛇腹材１６で構成される。
このため、蛇腹材１６が餌２４に絡まることはない。したがって、伸縮部と伸長規制手段とが餌２４に絡まること、を要因としてイカ２５の餌２４への食いつきが悪くなることを確実に防止することができる。
【００８０】
イカ釣具１Ｃの伸縮部と伸長規制手段は、蛇腹材１６によって構成される。蛇腹材１６は、側面が屈折または展開可能な蛇腹部１６ａを備える部材であって、当該蛇腹部１６ａの側面が屈折または展開することによって伸縮可能される。
また、図１４に示す如く、餌針５を下方に牽引して伸縮部（蛇腹材１６）が伸長して、蛇腹部１６ａが展開したとき、即ち、餌針５が引掛け針１１に最も近接したとき、餌針５に取付けられた餌２４と引掛け針１１との間には所定の間隔Ｘがあいている。つまり、蛇腹材１６は、伸縮部材（蛇腹材１６）が伸長した状態で、餌針５に取付けた餌２４と引掛け針１１との間に所定の間隔Ｘがあくように、伸縮部材（蛇腹材１６）の伸長量を規制している。なお、側面が屈折して重なり合った状態における蛇腹部１６ａの上下方向の長さと、餌針５を下方に牽引して、当該重なり合う側面を展開させた状態における蛇腹部１６ａの上下方向の長さとの差が、蛇腹材１６が伸長する量を示す。
以上のことから、イカ釣具１Ｃを海中に投入する際、または、イカ釣具１Ｃが海中にあるときに餌２４が動き回った際に、バネ材２（伸縮部）が伸長しても、餌２４に引掛け針１１が接触しがたいこととなる。
したがって、イカ釣具１Ｃによれば、伸縮部が伸長した際に引掛け針１１が餌２４に接触することを要因としてイカ２５の餌２４への食いつきが悪くなることを防止することができる。
【００８１】
また、イカ釣具１Ｃにおいては、上述のように、蛇腹材１６は、イカ引掛け部材が挿通され、且つ、上下方向に伸縮可能とされ、且つ、自らによって伸長する量を所定の量に規制している。つまり、蛇腹材１６は、案内部と伸縮部と伸長規制手段とが一体的に構成されている。
このため、イカ釣具１Ｃを簡易構造で実現することができ、また、イカ釣具１Ｃの製造コストを低減させることができる。
【００８２】
なお、イカ釣具１Ａ・１Ｂ・１Ｃにおける餌取付け部材は、バネ材２またはゴム材１３と蛇腹材１６とを組み合わせて構成されてもよいものとする。
【００８３】
なお、イカ釣具１Ａ・１Ｂ・１Ｃの下方延出部３は棒状の部材で構成されているが、下方延出部３が棒状の部材で構成されることに特に限定するものではない。即ち、例えば、下方延出部３は糸状の樹脂素材からなる糸材で構成されても良いものとする。
【００８４】
イカ釣具１Ａ・１Ｂ・１Ｃにおける伸長規制手段は、糸ストッパ７や、蛇腹材１６で構成することに特に限定するものではない。例えば、図１５に示す如く、伸長規制手段を、クランク状の胴部を備える形状記憶合金からなる形状記憶部材１７で構成し、当該伸縮部を跨ぐようにして餌取付け部材に設けてもよいものとする。そして、このようにして餌取付け部材に設けられた形状記憶部材は、収縮した状態の伸縮部を伸長させると、クランク状の胴部が直線棒状に変形し（図１５（ａ）参照）、また、伸長した状態の伸縮部を収縮させると、その胴部がクランク状に変形する（図１５（ｂ）参照）。
つまり、このように伸長規制手段を構成して、餌取付け部に設けることで、伸縮部の伸長する量を所定の量に規制することができる。
【００８５】
さらに、以上のようにして形状記憶部材を餌取付け部材に設けることで、下方延出部３の素材によらず、案内部（バネ材２や筒材１２）の軸心上近傍に餌針５は安定して配置されることとなる。
このため、伸縮部が伸長して棒材８が回動し、引掛け針１１が餌取付け部材の軸心上近傍に配置されようとする際に、より確実に引掛け針１１にイカ２５に引っ掛けて、イカ２５を捕獲することができる。
【００８６】
なお、イカ釣具１Ａ・１Ｂは、伸長規制手段（糸ストッパ７）を設けることに特に限定するものではない。
また、イカ釣具１Ａ・１Ｂは、糸ストッパ７に代えて蛇腹材１６を餌取付け部材に設けても良いものとする。例えば、バネ材２の外周を蛇腹材の側面で覆うように、且つ、その下端部の外周面に下方延出部３を設け、その上端部の外周面に上方延出部４を一体的に設けるような構成である。
【符号の説明】
【００８７】
１Ａ・１Ｂ・１Ｃ  イカ釣具
２  バネ材
３  下方延出部
４  上方延出部
５  餌針
７  糸ストッパ
８  棒材
９  糸材
１０  第二棒材
１１  引掛け針
１２  筒材
１３  ゴム材
１４  糸材
１５  長尺棒材
１６  蛇腹材
１６ａ  蛇腹部
２１  道糸
２４  餌
２５  イカ
【手続補正２】
【補正対象書類名】特許請求の範囲
【補正対象項目名】全文
【補正方法】変更
【補正の内容】
【特許請求の範囲】
【請求項１】
餌を取付けるための餌針を先端に備える餌取付け部材と、イカを引っ掛けるための引掛け針を先端に備えるイカ引掛け部材と、前記餌取付け部材の基端と前記イカ引掛け部材の基端とを固定する固定部材と、を具備し、道糸に連結されるイカ釣具であって、
前記餌取付け部材は、前記イカ引掛け部材が挿通される案内部と、前記餌取付け部材を伸縮可能とする伸縮部と、を備え、
前記引掛け針は、前記伸縮部が収縮した状態で前記餌取付け部材の基端と反対側に前記餌針よりも離れた位置に配置され、
前記イカ引掛け部材は、前記案内部に挿通され、且つ、前記餌に前記イカ引掛け部材が絡まることを防止する絡まり防止手段を備え、
前記伸縮部が伸長して、前記餌針が前記引掛け針に接近する、イカ釣具。
【請求項２】
前記絡まり防止手段は、前記伸縮部材が収縮した状態で、前記イカ引掛け部材の少なくとも前記餌針に取付けた餌よりも前記引掛け針側の部分を棒材とすることによって構成する、請求項１に記載のイカ釣具。
【請求項３】
前記餌取付け部材は、前記伸縮部材が伸長した状態で、前記餌針に取付けた餌と前記引掛け針との間に所定の間隔があくように当該伸縮部材の伸長量を規制する伸長規制手段を備える、請求項１または請求項２に記載のイカ釣具。
【請求項４】
前記餌取付け部材の一部をコイル状に形成することによって、前記案内部と前記伸縮部とを一体的に構成する、請求項１から請求項３のいずれか１項に記載のイカ釣具。
【請求項５】
前記伸長規制手段は、糸状の部材で構成され、その一部が前記案内部に挿通される、請求項３または請求項４に記載のイカ釣具。